(57)【要約】  本願は、レート制御方法を開示する。本方法では、制御機器が端末から接続確立要求を受信し、接続確立要求は、データを送信するために端末の接続を確立するのに使用され、かつ制御機器は、データ送信機器にレート制御時間管理情報を送信し、時間管理情報は、接続を介して送信されるデータに対してレート制御を実行するためにデータ送信機器によって使用され、時間管理情報は、レート制御に使用されるレート制御時間ユニットの開始時間表示情報を含み、開始時間表示情報は、レート制御時間ユニットの開始時間を表示するのに使用される。前述の解決策により、データ送信機器がレート制御情報に基づいて適切な量のデータを送信したときに、それでもなおパケットが破棄されたり、処理が遅延したりする従来技術の問題が解決する。
2021528918.tif 000002
【特許請求の範囲】
【請求項１】
レート制御方法であって、
制御機器によって、端末から接続確立要求を受信するステップであって、前記接続確立要求は、データを送信するために前記端末の接続を確立するのに使用される、ステップと、
前記制御機器によって、データ送信機器にレート制御時間管理情報を送信するステップであって、前記時間管理情報は、前記接続を通じて送信された前記データに対してレート制御を実行するために、前記データ送信機器によって使用され、前記時間管理情報は、レート制御に使用されるレート制御時間ユニットの開始時間表示情報を含み、前記開始時間表示情報は、前記レート制御時間ユニットの開始時間を表示するのに使用される、ステップと
を含む、方法。
【請求項２】
前記開始時間表示情報が、具体的には、
前記接続がうまく確立された時点、
第1のデータユニットが前記接続を通じて送信された時点、または
次の課金期間の開始時間、
のうちのいずれか1つの情報である、
請求項1に記載のレート制御方法。
【請求項３】
前記レート制御がサービング公共地上移動通信ネットワークレート制御の場合は、前記制御機器は移動管理ネットワーク要素またはセッション管理ネットワーク要素であり、前記データ送信機器は前記端末である、
請求項1または2のいずれか一項に記載のレート制御方法。
【請求項４】
前記レート制御がサービング公共地上移動通信ネットワークレート制御の場合は、前記制御機器は移動管理ネットワーク要素またはセッション管理ネットワーク要素であり、前記データ送信機器はユーザプレーンネットワーク要素である、あるいは前記制御機器は移動管理ネットワーク要素であり、前記データ送信機器はセッション管理ネットワーク要素である、
請求項1または2のいずれか一項に記載のレート制御方法。
【請求項５】
前記レート制御がデータネットワーク名レート制御の場合は、前記制御機器はユーザプレーンネットワーク要素であり、前記データ送信機器は前記端末である、
請求項1または2のいずれか一項に記載のレート制御方法。
【請求項６】
前記レート制御がアクセスポイント名レート制御の場合は、前記制御機器はユーザプレーンネットワーク要素であり、前記データ送信機器は前記端末である、
請求項1または2のいずれか一項に記載のレート制御方法。
【請求項７】
前記データ送信機器が前記端末の場合は、前記時間管理情報がタイミング表示情報をさらに含み、前記タイミング表示情報が、具体的には、
前記端末が接続モードに入ったときに、前記レート制御時間ユニットの残存値に基づいてタイミングが継続する、
前記端末が接続モードに入ったときに、前記レート制御時間ユニットに基づいてタイミングが再開する、あるいは
前記レート制御時間ユニットが期限切れになった後で、次のレート制御時間ユニット内に前記第1のデータユニットが送信されたときにタイミングが開始する、という情報のうちのいずれか1つである、
請求項1〜3、あるいは請求項5または6のいずれか一項に記載のレート制御方法。
【請求項８】
前記データ送信機器が前記セッション管理ネットワーク要素または前記ユーザプレーンネットワーク要素の場合は、前記時間管理情報がタイミング表示情報をさらに含み、前記タイミング表示情報が、具体的には、
前記レート制御時間ユニットの前記開始時間の後で、タイミングが継続的に実行される、あるいは
前記レート制御時間ユニットが期限切れになった後で、次のレート制御時間ユニット内に前記第1のデータユニットが送信されたときにタイミングが開始する、という情報のうちのいずれか1つである、
請求項1および2、あるいは請求項4のいずれか一項に記載のレート制御方法。
【請求項９】
前記時間管理情報がレート制御値をさらに含み、前記レート制御値は、前記レート制御時間ユニット内に前記データ送信機器によって送信されたデータユニットの最大数を表示するのに使用される、
請求項1から8のいずれか一項に記載のレート制御方法。
【請求項１０】
前記時間管理情報が、前記レート制御時間ユニット情報をさらに含む、
請求項1から9のいずれか一項に記載のレート制御方法。
【請求項１１】
レート制御方法であって、
データ送信機器によって、レート制御時間管理情報を受信するステップであって、前記時間管理情報は、端末がデータを送信する接続に対するレート制御に使用される、レート制御時間ユニットの開始時間表示情報を含み、前記開始時間表示情報は、前記レート制御時間ユニットの開始時間を表示するのに使用される、ステップと、
前記レート時間管理情報に基づいて、前記データ送信機器によって、前記接続を通じて送信された前記データに対してレート制御を実行する、ステップと
を含む、方法。
【請求項１２】
前記開始時間表示情報が、具体的には、
前記接続がうまく確立された時点、
前記第1のデータユニットが前記接続を介して送信された時点、または
次の課金期間の開始時間、
のうちのいずれか1つの情報である、
請求項11に記載のレート制御方法。
【請求項１３】
前記データ送信機器が前記端末の場合は、前記時間管理情報がタイミング表示情報をさらに含み、前記タイミング表示情報が、具体的には、
前記端末が接続モードに入ったときに、前記レート制御時間ユニットの残存値に基づいてタイミングが継続する、
前記端末が接続モードに入ったときに、前記レート制御時間ユニットに基づいてタイミングが再開する、あるいは
前記レート制御時間ユニットが期限切れになった後で、次のレート制御時間ユニット内に前記第1のデータユニットが送信されたときにタイミングが開始する、という情報のうちのいずれか1つである、
請求項11または12のいずれか一項に記載のレート制御方法。
【請求項１４】
前記データ送信機器がセッション管理ネットワーク要素またはユーザプレーンネットワーク要素の場合は、前記時間管理情報がタイミング表示情報をさらに含み、前記タイミング表示情報が、具体的には、
前記レート制御時間ユニットの前記開始時間の後で、タイミングが継続的に実行される、あるいは
前記レート制御時間ユニットが期限切れになった後で、次のレート制御時間ユニット内に前記第1のデータユニットが送信されたときにタイミングが開始する、という情報のうちのいずれか1つである、
請求項11または12のいずれか一項に記載のレート制御方法。
【請求項１５】
レート制御装置であって、
端末から接続確立要求を受信するように構成された受信モジュールであって、前記接続確立要求は、データを送信するために前記端末の接続を確立するのに使用される、受信モジュールと、
データ送信機器にレート制御時間管理情報を送信するように構成された送信モジュールであって、前記時間管理情報は、前記接続を通じて送信された前記データに対してレート制御を実行するために、前記データ送信機器によって使用され、前記時間管理情報は、レート制御に使用されるレート制御時間ユニットの開始時間表示情報を含み、前記開始時間表示情報は、前記レート制御時間ユニットの開始時間を表示するのに使用される、送信モジュールと
を備える、レート制御装置。
【請求項１６】
前記開始時間表示情報が、具体的には、
前記接続がうまく確立された時点、
前記第1のデータユニットが前記接続を通じて送信された時点、または
次の課金期間の開始時間、
のうちのいずれか1つの情報である、
請求項15に記載のレート制御装置。
【請求項１７】
前記時間管理情報がタイミング表示情報をさらに含み、前記タイミング表示情報が、具体的には、
前記端末が接続モードに入ったときに、前記レート制御時間ユニットの残存値に基づいてタイミングが継続する、
前記端末が接続モードに入ったときに、前記レート制御時間ユニットに基づいてタイミングが再開する、あるいは
前記レート制御時間ユニットが期限切れになった後で、次のレート制御時間ユニット内に前記第1のデータユニットが送信されたときにタイミングが開始する、という情報のうちのいずれか1つである、
請求項15または16のいずれか一項に記載のレート制御装置。
【請求項１８】
前記時間管理情報がタイミング表示情報をさらに含み、前記タイミング表示情報が、具体的には、
前記レート制御時間ユニットの前記開始時間の後で、タイミングが継続的に実行される、あるいは
前記レート制御時間ユニットが期限切れになった後で、次のレート制御時間ユニット内に前記第1のデータユニットが送信されたときにタイミングが開始する、という情報のうちのいずれか1つである、
請求項15または16のいずれか一項に記載のレート制御装置。
【請求項１９】
レート制御時間管理情報を受信するように構成された受信モジュールであって、前記時間管理情報は、端末がデータを送信する接続に対するレート制御に使用される、レート制御時間ユニットの開始時間表示情報を含み、前記開始時間表示情報は、前記レート制御時間ユニットの開始時間を表示するのに使用される、受信モジュールと、
前記レート時間管理情報に基づいて、前記接続を通じて送信された前記データに対してレート制御を実行するように構成された、処理モジュールと
を備える、データ送信装置。
【請求項２０】
前記開始時間表示情報が、具体的には、
前記接続がうまく確立された時点、
前記第1のデータユニットが前記接続を通じて送信された時点、または
次の課金期間の開始時間、
のうちのいずれか1つの情報である、
請求項19に記載のデータ送信装置。
【請求項２１】
前記時間管理情報がタイミング表示情報をさらに含み、前記タイミング表示情報が、具体的には、
前記端末が接続モードに入ったときに、前記レート制御時間ユニットの残存値に基づいてタイミングが継続する、
前記端末が接続モードに入ったときに、前記レート制御時間ユニットに基づいてタイミングが再開する、あるいは
前記レート制御時間ユニットが期限切れになった後で、次のレート制御時間ユニット内に前記第1のデータユニットが送信されたときにタイミングが開始する、という情報のうちのいずれか1つである、
請求項19または20のいずれか一項に記載のデータ送信装置。
【請求項２２】
前記時間管理情報がタイミング表示情報をさらに含み、前記タイミング表示情報が、具体的には、
前記レート制御時間ユニットの前記開始時間の後で、タイミングが継続的に実行される、あるいは
前記レート制御時間ユニットが期限切れになった後で、次のレート制御時間ユニット内に前記第1のデータユニットが送信されたときにタイミングが開始する、という情報のうちのいずれか1つである、
請求項19または20のいずれか一項に記載のデータ送信装置。
【請求項２３】
制御機器とデータ送信機器とを備えるレート制御システムであって、前記制御機器は、
端末から接続確立要求を受信するように構成され、前記接続確立要求は、データを送信するために前記端末の接続を確立するのに使用され、かつ前記データ送信機器にレート制御時間管理情報を送信するように構成され、前記時間管理情報は、レート制御に使用されるレート制御時間ユニットの開始時間表示情報を含み、前記開始時間表示情報は、前記レート制御時間ユニットの開始時間を表示するのに使用され、
前記データ送信機器は、前記時間管理情報を受信するように構成され、前記時間管理情報は、前記接続を通じて送信された前記データに対してレート制御を実行するために、前記データ送信機器によって使用される、
レート制御システム。
【請求項２４】
プロセッサと通信インターフェースとを備えるレート制御装置であって、前記通信インターフェースは、コード命令を受信して前記プロセッサに前記コード命令を送信するように構成され、前記プロセッサは、請求項1から10のいずれか一項に記載の前記レート制御方法を実行するために、前記コード命令を実行するように構成される、レート制御装置。
【請求項２５】
プロセッサと通信インターフェースとを備えるデータ送信装置であって、前記通信インターフェースは、コード命令を受信して前記プロセッサに前記コード命令を送信するように構成され、前記プロセッサは、請求項11から14のいずれか一項に記載の前記レート制御方法を実行するために、前記コード命令を実行するように構成される、データ送信装置。
【請求項２６】
請求項1から10のいずれか一項に記載のレート制御方法、または請求項11から14のいずれか一項に記載のレート制御方法を実行するように構成される、プロセッサ。
【請求項２７】
コンピュータプログラムを含むコンピュータ可読記憶媒体であって、前記コンピュータプログラムがコンピュータで実行されると、前記コンピュータが、請求項1から10のいずれか一項に記載のレート制御方法、または請求項11から14のいずれか一項に記載のレート制御方法を実行できるようになる、コンピュータ可読記憶媒体。
【請求項２８】
コンピュータプログラム製品であって、前記コンピュータプログラム製品はコンピュータプログラムを含み、前記コンピュータプログラムがコンピュータで実行されると、前記コンピュータが、請求項1から10のいずれか一項に記載のレート制御方法、または請求項11から14のいずれか一項に記載のレート制御方法を実行できるようになる、コンピュータプログラム製品。
【請求項２９】
請求項1から10のいずれか一項に記載のレート制御方法を実行するように構成される、装置。
【請求項３０】
請求項11から14のいずれか一項に記載のレート制御方法を実行するように構成される、装置。
【発明の詳細な説明】
【技術分野】
【０００１】
本出願は、「レート制御方法、装置、およびシステム」という名称で2018年8月25日に中国国家知識産権局に出願された中国特許出願第201810976506．4号に対する優先権を主張し、その特許の全体は参照することによって本願に組み込まれる。
【０００２】
本出願は通信技術の分野に関し、特にレート制御方法、装置、およびシステムに関する。
【背景技術】
【０００３】
セルラーIoT（cellular internet of things、CIOT）は、狭帯域IoT（narrowband internet of things、NB−IoT）アクセス技術、または拡張マシンタイプ通信（enhanced machine type communication、eMTC）アクセス技術に基づいて、CIOT端末が移動通信ネットワークにアクセスできるようにするIoTである。CIOTは、低複雑性および低スループットでIoT機器をサポートするセルラーネットワークである。IoT技術が開発され普及するにつれて、CIOTにアクセスするユーザ機器（User Equipment、UE）がますます増加している。大量のCIOT UEが、データを送受信するときに多量の上りおよび下りデータトラフィックを必要としている。これはコアネットワークの管理ネットワーク要素エンティティ、および無線アクセスネットワークの無線ベアラに多大な影響を及ぼす。この問題を解決するため、第3世代共同プロジェクト（3rd generation partnership project、3GPP）では、サービング公共地上移動通信ネットワーク（Serving Public Land Mobile Network、Serving PLMN）レート制御、およびアクセスポイント名（Access Point Name、APN）レート制御の2つのレート制御（rate control）機構を定義している。
【０００４】
Serving PLMNレート制御は、非アクセス層（Non−access stratum、NAS）メッセージを使用して、UEによって送信されるユーザデータのパケットデータユニット（Packet Data Unit、PDU）の数を制限するためにServing PLMNによって使用され、APNレート制御は、UEによって送信される上りユーザデータの量を制限するために、ホーム公共地上移動通信ネットワーク（Home Public Land Mobile Network、HPLMN）の通信事業者によって使用される。この両方のレート制御方法によって、大規模な接続によって生じるロード圧を効果的に削減することができる。2つのレート制御方法において、データ送信側は、レート制御情報で提供される時間間隔で適切な数のデータPDUを送信する。
【発明の概要】
【０００５】
しかしながら、データ受信側がデータPDUを破棄したり、データPDUの送信を遅延させたりする場合がある。これによってユーザデータ送信中にパケット損失率および送信遅延が増加し、サービス機能およびユーザ体験に影響を及ぼす。
【課題を解決するための手段】
【０００６】
本願における実施形態は、データ送信機器がレート制御情報に基づいて適切な量のデータを送信したときに、それでもなおパケットが破棄されたり、処理が遅延したりする従来技術の問題を解決するために、レート制御方法、装置、およびシステムを提供する。
【０００７】
前述の目的を達成するために、本願における実施形態は以下の技術的解決策を提供する。
【０００８】
第1の態様によれば、レート制御方法が提供される。本方法は、制御機器が端末から接続確立要求を受信し、接続確立要求はデータを送信するために端末の接続を確立するのに使用されることを含む。制御機器は、データ送信機器にレート制御時間管理情報を送信し、時間管理情報は、接続を通じて送信されたデータに対してレート制御を実行するためにデータ送信機器によって使用され、時間管理情報は、レート制御に使用されるレート制御時間ユニットの開始時間表示情報を含み、開始時間表示情報は、レート制御時間ユニットの開始時間を表示するのに使用される。
【０００９】
第2の態様によれば、レート制御方法が提供される。本方法は、データ送信機器がレート制御時間管理情報を受信し、時間管理情報は、これを通じて端末がデータを送信する接続に対するレート制御に使用される、レート制御時間ユニットの開始時間表示情報を含み、開始時間表示情報はレート制御時間ユニットの開始時間を表示するのに使用されることを含む。データ送信機器は、レート時間管理情報に基づいて、接続を通じて送信されたデータに対してレート制御を実行する。
【００１０】
本願における実施形態の第1の態様、または第2の態様で提供されるレート制御方法に基づいて、開始時間表示情報を含む時間管理情報を受信した後で、データ送信機器は、レート制御タイミングを開始するのに制御機器と同じ時点を決定することができる。このように、データ送信機器が時間管理情報に基づいて制御機器に適切な数のデータユニットを送信したときは、制御機器はデータを有効なデータとみなし、データを破棄したりデータの処理を遅延させたりすることはない。
【００１１】
第1の態様または第2の態様の可能な設計において、開始時間表示情報は具体的には、接続がうまく確立された時点、第1のデータユニットが接続を通じて送信された時点、または次の課金期間の開始時間である。
【００１２】
第1の態様または第2の態様の可能な設計において、レート制御がサービング公共地上移動通信ネットワークレート制御の場合は、制御機器は移動管理ネットワーク要素またはセッション管理ネットワーク要素であってもよく、データ送信機器は端末である。
【００１３】
可能な設計において、レート制御がサービング公共地上移動通信ネットワークレート制御の場合は、制御機器は移動管理ネットワーク要素またはセッション管理ネットワーク要素であり、データ送信機器はユーザプレーンネットワーク要素である、あるいは制御機器は移動管理ネットワーク要素であり、データ送信機器はセッション管理ネットワーク要素である。
【００１４】
第1の態様または第2の態様の可能な設計において、レート制御がデータネットワーク名レート制御の場合は、制御機器はユーザプレーンネットワーク要素であり、データ送信機器は端末である。
【００１５】
第1の態様または第2の態様の可能な設計において、レート制御がアクセスポイント名レート制御の場合は、制御機器はユーザプレーンネットワーク要素であり、データ送信機器は端末である。
【００１６】
第1の態様または第2の態様の可能な設計において、データ送信機器が端末の場合は、時間管理情報がタイミング表示情報をさらに含み、タイミング表示情報は具体的には、端末が接続モードに入ったときに、レート制御時間ユニットの残存値に基づいてタイミングが継続する、端末が接続モードに入ったときに、レート制御時間ユニットに基づいてタイミングが再開する、あるいはレート制御時間ユニットが期限切れになった後で、第1のデータユニットが次のレート制御時間ユニット内に送信されたときにタイミングが開始する。
【００１７】
第1の態様または第2の態様の可能な設計において、データ送信機器がセッション管理ネットワーク要素またはユーザプレーンネットワーク要素の場合は、時間管理情報はタイミング表示情報をさらに含む。タイミング表示情報は具体的には、レート制御時間ユニットの開始時間の後でタイミングが継続して実行される、あるいはレート制御時間ユニットが期限切れになった後で、次のレート制御時間ユニット内に第1のデータユニットが送信されたときにタイミングが開始する。
【００１８】
第1の態様または第2の態様の可能な設計において、時間管理情報はレート制御値をさらに含む。レート制御値は、レート制御時間ユニット内にデータ送信機器によって送信される、データユニットの最大数を表示するのに使用される。
【００１９】
第1の態様または第2の態様の可能な設計において、時間管理情報は、レート制御時間ユニットに関する情報をさらに含む。
【００２０】
第3の態様によれば、本願における実施形態はレート制御装置を提供する。装置は、第1の態様、または第1の態様の可能な設計のうちのいずれか1つによる方法を実施する機能を有する。機能は、ハードウェアによって実施されてもよく、あるいは対応するソフトウェアを実行するハードウェアによって実施されてもよい。ハードウェアまたはソフトウェアは、機能に対応する1つ以上のモジュールを含む。
【００２１】
第4の態様によれば、本願における実施形態はデータ送信装置を提供する。装置は、第2の態様、または第2の態様の可能な設計のうちのいずれか1つによる方法を実施する機能を有する。機能は、ハードウェアによって実施されてもよく、あるいは対応するソフトウェアを実行するハードウェアによって実施されてもよい。ハードウェアまたはソフトウェアは、機能に対応する1つ以上のモジュールを含む。
【００２２】
第5の態様によれば、本願における実施形態は、プロセッサとメモリとを備えるレート制御装置を提供する。メモリは、コンピュータ実行可能命令を記憶するように構成される。レート制御装置を実行しているとき、プロセッサは、レート制御装置が、第1の態様、または第1の態様の可能な設計のうちのいずれか1つによるレート制御方法を実行できるように、メモリに記憶されたコンピュータ実行可能命令を実行する。
【００２３】
第6の態様によれば、本願における実施形態は、プロセッサを備えるレート制御装置を提供する。プロセッサは、メモリに結合されるように、かつメモリに記憶された命令を読み出した後で、命令に従って、第1の態様、または第1の態様の可能な設計のうちのいずれか1つによるレート制御方法を実行するように構成される。
【００２４】
第7の態様によれば、本願における実施形態は、プロセッサとメモリとを備えるデータ送信装置を提供する。メモリは、コンピュータ実行可能命令を記憶するように構成される。データ送信装置を実行しているとき、プロセッサは、データ送信装置が、第2の態様、または第2の態様の可能な設計のうちのいずれか1つによるレート制御方法を実行できるように、メモリに記憶されたコンピュータ実行可能命令を実行する。
【００２５】
第8の態様によれば、本願における実施形態は、プロセッサを備えるデータ送信装置を提供する。プロセッサは、メモリに結合されるように、かつメモリに記憶された命令を読み出した後で、命令に従って、第2の態様、または第2の態様の可能な設計のうちのいずれか1つによるレート制御方法を実行するように構成される。
【００２６】
第9の態様によれば、本願における実施形態は、第3の態様によるレート制御装置と、第4の態様によるデータ送信装置とを備える、あるいは第5の態様または第6の態様によるレート制御装置と、第7の態様または第8の態様によるデータ送信装置とを備える、レート制御システムを提供する。
【００２７】
第10の態様によれば、本願における実施形態は、命令を含むコンピュータプログラム製品を提供する。コンピュータ上でコンピュータプログラム製品を実行すると、コンピュータは第1の態様または第2の態様のいずれかによる方法を実行できるようになる。
【００２８】
第11の態様によれば、本願における実施形態は、命令を含むコンピュータ可読記憶媒体を提供する。コンピュータ上で命令が実行されると、コンピュータは第1の態様または第2の態様のいずれかによる方法を実行できるようになる。
【００２９】
本願におけるこれらの態様、または他の態様は、以下の実施形態の説明によって、より明確でわかりやすいものになるであろう。
【図面の簡単な説明】
【００３０】
【図１】本願における実施形態による、可能なシステムネットワークの概略図である。
【図２】本願における実施形態による、別の可能なシステムネットワークの概略図である。
【図３】本願における実施形態による、さらに別の可能なシステムネットワークの概略図である。
【図４】本願における実施形態による、コンピュータ機器の概略図である。
【図５】本願における実施形態による、レート選択方法の概略的なフローチャートである。
【図６】本願における実施形態による、別のレート選択方法の概略的なフローチャートである。
【図７】本願における実施形態による、さらに別のレート選択方法の概略的なフローチャートである。
【図８】本願における実施形態による、さらに別のレート選択方法の概略的なフローチャートである。
【図９】本願における実施形態による、さらに別のレート選択方法の概略的なフローチャートである。
【図１０Ａ】本願における実施形態による、さらに別のレート選択方法の概略的なフローチャートである。
【図１０Ｂ】本願における実施形態による、さらに別のレート選択方法の概略的なフローチャートである。
【図１１】本願における実施形態による、装置の概略構造図である。
【図１２】本願における実施形態による、別の装置の概略構造図である。
【発明を実施するための形態】
【００３１】
本願の目的、技術的解決策、および利点をより明確にするために、以下、添付の図面を参照しながら本願についてさらに詳しく説明する。方法の実施形態における具体的な操作方法は、装置の実施形態、またはシステムの実施形態にも適用されてもよい。
【００３２】
本願の説明において、特に明記しない限り「／」は「または」を意味する。例えば、A／Bは、AまたはBを表し得る。本明細書において、「および／または」は、関連付けられたものを説明するための関連関係についてのみ記述し、3つの関係が存在し得ることを表す。例えば、Aおよび／またはBとは、Aのみが存在する、AおよびBの両方が存在する、そしてBのみが存在する、という3つの事例を表し得る。また、本願の記述において、「複数の」とは、特に明記しない限り、2つまたは2つより多いことを意味する。また、本願における実施形態の技術的解決策を明確に説明するために、本願における実施形態では、基本的に同じ機能および目的を有する同じアイテム同士、または同様のアイテム同士を区別するために「第1の」および「第2の」などの用語が使用される。「第1の」および「第2の」などの用語は数または実行順序を限定しないこと、かつ「第1の」および「第2の」などの用語は決定的な相違を示すものではないことが当業者には理解されよう。
【００３３】
本願における実施形態で説明されるネットワークアーキテクチャおよびサービスシナリオは、本願における実施形態の技術的解決策をより明確に説明することが意図されており、本願における実施形態で提供される技術的解決策に制限を設けるものではない。当業者であれば、ネットワークアーキテクチャが発展し新たなサービスシナリオが出現する中で、本願における実施形態で提供される技術的解決策は同様の技術的問題にも適用可能なことを知っているであろう。
【００３４】
本願における実施形態を説明する前に、Serving PLMNレート制御、APNレート制御、およびデータネットワーク名（Data Network Name、DNN）レート制御についてまず簡単に説明する。Serving PLMNレート制御は、NASメッセージを使用して送信される上りおよび下りPDUの数を制限するために、Serving PLMNによって使用される。NASメッセージを使用して送信されるPDUはNASデータPDUとも呼ばれる。NASデータPDUは、制御プレーンNASメッセージ（NAS messages with user data over control plane）を使用して送信される一種のユーザデータである。あるいは、Serving PLMNレート制御は、ユーザデータを保持している上りおよび下りNASメッセージの数を制限するために使用されることは理解されよう。上りレート制御は、UEによって送信されるNASデータPDUの数を制限するのに使用される。下りレート制御は、ユーザプレーンネットワーク要素またはセッション管理ネットワーク要素によって送信されるNASデータPDUの数を制限するのに使用される。上りレート制御および下りレート制御は、NASデータPDUに対する制限が異なる場合がある。Serving PLMNレート制御情報は、管理ネットワーク要素の通信事業者、またはコアネットワークのエンティティによって構成される。一般に、Serving PLMNレート制御情報は「6分毎にX個のNASデータPDU」として設定され、Xは整数であり、かつ10以上でなければならない。本明細書におけるNASデータPDUは、ユーザデータの送信に使用されるNASメッセージと理解されてもよい。例えば、パケットデータネットワーク（Packet Data Network、略称PDN）接続確立プロセスにおける進化型パケットシステム（Evolved Packet System、略称EPS）の場合は、管理ネットワーク要素はローカルのServing PLMNレート制御情報をUE、PDNゲートウェイ（PDN Gateway、PGW）、またはサービス能力公開ネットワーク要素（Service Capability Exposure Function、SCEF）に送信してもよい。第5世代（5th generation、5G）システムの場合は、管理ネットワーク要素はローカルのServing PLMNレート制御情報をUE、セッション管理機能（session management function、SMF）、ユーザプレーン機能（user plane function、UPF）、またはネットワーク公開機能（Network Exposure Function、NEF）に送信してもよい。
【００３５】
APNレート制御は、UEによって所与のAPNに送信される上りユーザデータPDUの数を制限するために通信事業者によって使用される。制限される上りユーザデータPDUは、制御プレーンNASメッセージを使用して送信されるユーザデータであってもよく、あるいはユーザプレーンを通じて送信されるユーザデータであってもよい。APNレート制御情報は、ユーザプレーンネットワーク要素の通信事業者、またはコアネットワークのエンティティによって構成される。一般に、APNレート制御情報は、例えば、「1日毎にX個のユーザデータメッセージ」のように、指定された時間ユニット内にUEによって送信されるユーザデータメッセージ（user data message）の最大数として設定され、Xは最小値の制限のない整数である。本明細書におけるユーザデータメッセージは、データユニット（data unit）またはデータパケット（data packet）と理解されてもよい。本明細書における時間ユニットは、時間単位（time unit）、時間間隔（time interval）などとも呼ばれる。APNレート制御をサポートするUEは、例外レポートデータパケット数の制限もサポートし得る。具体的には、UEは、許容される最大数の情報、つまり1日毎にY個の情報をUEが送信した後に、特定の数の例外レポートデータパケットの送信を継続してもよい。EPSの場合、APNレート制御情報はPGWまたはSCEF上に構成される。一般に、APNレート制御情報は3種類の情報を含み、すなわち時間ユニット毎に送信できるデータパケット（すなわちデータユニット）の数と、データパケットの数が限界値に達した後にUEが例外レポートの送信を継続できるかどうかと、データパケット数が限界値に達した後で、UEが例外レポートの送信を継続できる場合の、例外レポートパケットの数という3種類の情報である。DNNレート制御はAPNレート制御と同様であり、ここでは説明されない。一般に、APNレート制御はEPSに適用され、DNNレート制御は5GSに適用される。
【００３６】
Serving PLMNレート制御方法、APNレート制御方法、およびDNNレート制御方法では、レート制御情報は時間間隔に基づく。送達されたレート制御情報は時間間隔内で有効であり、時間間隔を越えると無効になることは理解されよう。3つのレート制御方法において、時間間隔の開始時間は制御機器とデータ送信機器との間で調整されず、その結果、制御機器によってレート制御を実行する時間は、データ送信機器によってレート制御を実行する時間と同期しないことに本発明者は研究過程で気がついた。例えば、Serving PLMNレート制御情報は、「6分毎に20個のNASデータPDU」である。データ送信機器は、データが初めて送信されたときに時間間隔が開始したとみなす。例えば、データは10：02に初めて送信される。しかしながら、制御機器は、PDN接続が確立されたときに時間間隔が開始したとみなす。例えば、PDN接続は10：00に確立される。このように、制御機器は、［10：00，10：06）の6分間のうちに20個のデータを受信でき、［10：06，10：12）の6分間のうちに20個のデータを受信できるとみなす。データ送信機器は、［10：02，10：08）のうちに20個のデータを送信でき、［10：08，10：14）のうちに20個のデータを送信できるとみなす。
【００３７】
データ送信機器は、［10：02，10：06）の4分間のうちに15個のデータを送信し、［10：06，10：08）の2分間のうちに5個のデータを送信し、［10：08，10：12）の4分間のうちに16個のデータを送信することが想定される。このように、データ送信機器は、Serving PLMNレート制御情報に基づいて忠実にデータを送信し、データがレート制御制限を超えることはない。しかしながら、制御機器は、［10：06，10：12）のうちに5＋16個のデータ、すなわち21個のデータを受信する。これは、Serving PLMNレート制御情報で指定された、［10：06，10：11］内に受信できるのは最大20個のデータのみという上限を超えている。結果として、制御機器は21番目のデータを破棄する。言い換えると、従来技術では、データ送信機器および制御機器は時間間隔の開始時間を調整しないので、データ送信機器によってレート制御を実行する時間は、制御機器によってレート制御を実行する時間と同期しない。このことはまた、データ（例えば、ユーザデータ）送信中のパケット損失率および送信遅延を増加させ、サービス機能およびユーザ体験に影響を及ぼす。
【００３８】
前述の問題を解決するために、本願における実施形態は、レート制御方法およびシステムを提供する。以下、本願における実施形態で提供されるレート制御システムおよび方法について1つずつ説明する。
【００３９】
図1に示すように、本願における実施形態はレート制御システム100を提供する。システム100は、制御機器10とデータ送信機器20とを備える。システムアーキテクチャ100は、本願における実施形態で提供されるレート制御方法を実行するように構成され得る。
【００４０】
制御機器10は、端末から接続確立要求を受信するように構成され、接続確立要求は、データを送信するために端末の接続を確立するのに使用され、かつデータ送信機器20にレート制御時間管理情報を送信するように構成され、時間管理情報は、接続を通じて送信されたデータに対してレート制御を実行するために、データ送信機器20によって使用される。時間管理情報は、レート制御に使用されるレート制御時間ユニットの開始時間表示情報を含み、開始時間表示情報は、レート制御時間ユニットの開始時間を表示するのに使用される。
【００４１】
データ送信機器20は、時間管理情報を受信するように構成される。任意で、データ送信機器20は、時間管理情報に基づいて、接続を通じて送信されたデータに対してレート制御を実行する。
【００４２】
本明細書における接続確立要求は、PDUセッション確立要求、またはPDN接続確立要求であってもよい。本願において、これに限定されることはない。特定の実施において、接続確立要求がPDUセッション確立要求であれば、確立される接続はPDUセッションであり、あるいは接続確立要求がPDN接続確立要求であれば、確立される接続はPDN接続である。
【００４３】
特定の実施において、開始時間表示情報は、接続がうまく確立された時点、第1のデータユニットが接続を通じて送信された時点、または次の課金期間の開始時間のうちのいずれか1つの情報であってもよい。
【００４４】
特定の実施において、レート制御は、Serving PLMNレート制御、APNレート制御、またはDNNレート制御であってもよい。
【００４５】
特定の実施において、レート制御がServing PLMNレート制御のときは、制御機器に対応する機器またはエンティティは移動管理ネットワーク要素またはセッション管理ネットワーク要素であってもよく、データ送信機器は端末またはユーザプレーンネットワーク要素であってもよい、あるいは制御機器は移動管理ネットワーク要素であってもよく、データ送信機器はセッション管理ネットワーク要素であってもよい。
【００４６】
特定の実施において、レート制御がDNNレート制御またはAPNレート制御のときは、制御機器はユーザプレーンネットワーク要素であってもよく、データ送信機器は端末であってもよい、あるいはレート制御がServing PLMNレート制御のときは、制御機器は移動管理ネットワーク要素であってもよく、データ送信機器はユーザプレーンネットワーク要素であってもよい。
【００４７】
特定の実施において、データ送信機器が端末の場合は、時間管理情報は、タイミング表示情報をさらに含む。タイミング表示情報は具体的には、端末が接続モードに入ったときにレート制御時間ユニットの残存値に基づいてタイミングが継続する、端末が接続モードに入ったときにレート制御時間ユニットに基づいてタイミングが再開する、あるいはレート制御時間ユニットが期限切れになった後で、次のレート制御時間ユニット内に第1のデータユニットが送信されたときにタイミングが開始する、という情報のうちのいずれか1つである。
【００４８】
特定の実施において、データ送信機器がセッション管理ネットワーク要素またはユーザプレーンネットワーク要素の場合は、時間管理情報はタイミング表示情報をさらに含む。タイミング表示情報は具体的には、レート制御時間ユニットの開始時間の後でタイミングが継続して実行される、あるいはレート制御時間ユニットが期限切れになった後で、次のレート制御時間ユニット内、つまりレートを制御するための次の時間ユニット内に、第1のデータユニットが送信されたときにタイミングが開始する、という情報のうちのいずれか1つである。
【００４９】
また、時間管理情報はレート制御値をさらに含んでもよい。レート制御値は、レート制御時間ユニット内にデータ送信機器によって送信される、データユニットの最大数を表示するのに使用される。特定の実施において、本明細書におけるデータユニットは、データユニットの送信に使用されるメッセージであってもよく、または送信されるデータユニットであってもよく、あるいは別の形態であってもよい。本願において、これに限定されることはない。例えば、データユニットはNASメッセージに内包されてもよい。このように、データ送信機器によって送信されるデータユニットの数は送信されるNASメッセージの数と等しく、これにはデータユニットが内包されている。
【００５０】
例えば、APNレート制御またはDNNレート制御中に、データ送信機器は上りユーザデータメッセージ（uplink user data messages）を送信し、1つのメッセージは1つのデータユニット（PDU）を含む。したがって、本明細書におけるレート制御値は、PDUの数によって、あるいはPDUを含むNASメッセージの数によって表されてもよい。別の例では、上りServing PLMNレート制御中に、データ送信機器は制御プレーンNASメッセージを使用してユーザデータを送信し、1つのNASメッセージは1つのデータユニット（PDU）を含む。したがって、本明細書におけるレート制御値は、PDUの数によって、あるいはPDUを含むNASメッセージの数によって表されてもよい。別の例では、下りServing PLMNレート制御中に、データ送信機器は下りデータPDU（downlink Data PDUs）を送信する。下りデータPDUはPDUなので、下りデータPDUはNASメッセージに内包されない。したがって、本明細書におけるレート制御値は、PDUの数で表されてもよい。
【００５１】
任意で、時間管理情報はレート制御時間ユニットについての情報をさらに含んでもよい。
【００５２】
本実施形態で提供されるシステムでは、制御機器はレート時間ユニットの開始時間表示情報を送信し、開始時間表示情報を受信した後に、データ送信機器は、制御機器と同一の、レート制御タイミングを開始する時点を決定することができる。このように、データ送信機器が時間管理情報に基づいて制御機器に適切な数のデータユニットを送信したときは、制御機器はデータを有効なデータとみなし、データを破棄したりデータの処理を遅延させたりすることはない。これにより、データ送信側パーティがレート制御情報に基づいて適切な数のデータPDUを送信したときに、それでもなおパケットが破棄されたり、処理が遅延したりする従来技術の問題が解決する。
【００５３】
任意で、レート制御システム100は、第4世代（4th generation、4G）ネットワーク、すなわちEPS、5Gネットワーク、その他の将来のネットワークに適用されてもよい。これは、本願における実施形態で具体的に限定されるものではない。
【００５４】
データ送信システム10が5Gネットワークに適用される場合、5Gアーキテクチャの図200が図2に示されている。移動管理ネットワーク要素に対応する機器またはエンティティは、アクセスおよび移動管理機能（access and mobility management function、AMF）である。セッション管理ネットワーク要素に対応する機器またはエンティティは、SMFである。ユーザプレーンネットワーク要素に対応する機器またはエンティティは、UPFまたはNEFである。
【００５５】
本アーキテクチャは、認証サーバ機能（authentication server function、AUSF）、ネットワークスライス選択機能（network slice selection function、NSSF）、NEF、ネットワーク機能リポジトリ機能（NF repository function、NRF）、統合データ管理（unified data management、UDM）、ポリシー制御機能（policy control function、PCF）、またはアプリケーション機能（application function、AF）を含む、コアネットワーク制御プレーンをさらに含んでもよい。
【００５６】
AMFは、登録管理、移動管理、または合法的傍受などの機能をさらに果たす場合がある。これは、本願における実施形態で具体的に限定されるものではない。
【００５７】
SMFは、セッション確立、セッション変更、セッション解放、端末のインターネットプロトコル（internet protocol、IP）割り振りおよび管理、UPFの選択および制御、または合法的傍受などのセッション関連の制御機能を含む、セッション管理を実行するようにさらに構成されてもよい。
【００５８】
UPFは、SMFの経路指定ルールに従って、ユーザデータパケットを転送するようにさらに構成されてもよい。AUSFは、端末でセキュリティ認証を実行するように構成される。NSSFは、端末のネットワークスライスを選択するように構成される。NEF  は、ノースバウンドのアプリケーションプログラミングインターフェース（Application Programming Interface、API）に基づいて、サードパーティ用にネットワーク機能を開放する。NRFは、別のネットワーク要素のネットワーク機能エンティティ情報を記憶し選択する。UDMは、加入情報コンテキストを管理するように構成される。PCFは、ユーザポリシーを管理するように構成される。AFは、ユーザアプリケーションを管理するように構成される。
【００５９】
図2に示すアーキテクチャでは、N1インターフェースはUEとAMFとの間の参照点であってNASメッセージを転送するように構成され、N2インターフェースは（R）ANとAMFとの間の参照点であり、N3インターフェースは（R）ANとUPFとの間の参照点であってユーザプレーンデータなどを送信するように構成され、N4インターフェースはSMFとUPFとの間の参照点であってN3接続のトンネル識別子情報、データバッファ表示情報、および下りデータ通知メッセージなどの情報を送信するように構成され、N6インターフェースはUPFとDNとの間の参照点であってユーザプレーンデータなどを送信するように構成される。図2に示す5GネットワークにおけるAMFネットワーク要素、SMFネットワーク要素、AUSFネットワーク要素、およびUDMネットワーク要素などの制御プレーンネットワーク要素は、直接的または間接的に互いに通信してもよく、例えば、サービスベースのインターフェースを介して相互作用してもよい。例えば、AMFネットワーク要素によって外部的に提供されるサービスベースのインターフェースはNamfであってもよく、SMFネットワーク要素によって外部的に提供されるサービスベースのインターフェースはNsmfであってもよく、AUSFネットワーク要素によって外部的に提供されるサービスベースのインターフェースはNausfであってもよく、UDMネットワーク要素によって提供されるサービスベースのインターフェースはNudmであってもよい。関連する説明については、TS 23．501規格における5Gシステムアーキテクチャ（5G system architecture）の図を参照されたい。ここで詳細な説明はされない。
【００６０】
図2におけるネットワーク要素間のインターフェースの名称は単なる例であって、インターフェースは、特定の実施では他の名称を有してもよいことに留意されたい。これは、本願における実施形態で具体的に限定されるものではない。
【００６１】
5Gネットワークにおける端末、AMFネットワーク要素、SMFネットワーク要素、UPFネットワーク要素、NEFネットワーク要素、PCFネットワーク要素などは単なる名称であって、名称は機器に対して制限を課すものでないことに留意されたい。5Gネットワーク、その他将来のネットワークにおいて、ネットワーク要素またはエンティティ、あるいはUE、AMF、SMF、UPF、NEF、およびPCFに対応する機器は、代わりに他の名称を有してもよい。これは、本願における実施形態で具体的に限定されるものではない。例えば、UDMエンティティは、加入者情報管理サーバ（home subscriber server、HSS）、ユーザ加入情報データベース（user subscription database、USD）、またはデータベースエンティティと置き換えられてもよい。ここでは一般的な説明がなされ、以下で詳細な説明はされない。
【００６２】
データ送信システム10が4Gネットワークに適用される場合、EPSアーキテクチャの図300が図3に示されている。移動管理ネットワーク要素に対応する機器またはエンティティは、移動管理エンティティ（mobility management entity、MME）である。ユーザプレーンネットワーク要素に対応する機器またはエンティティは、PGWまたはSCEFである。
【００６３】
MME：MMEは主に、非アクセス層NAS信号およびセキュリティ、トラッキング領域リスト（tracking area list）管理、パケットデータネットワークゲートウェイPGWおよびサービングネットワーク要素（serving gateway、SGW）の選択などを含む、ユーザの移動管理およびセッション管理などの制御プレーンの機能を果たす。
【００６４】
PGW：PDN接続のアンカーとして機能するPGWは、UEのインターネットプロトコル（Internet Protocol、IP）アドレス割り振り、UEデータパケットフィルタリング、レート制御、課金情報生成などの役割を果たす。
【００６５】
また、システムは、SGW、進化型汎用地上無線アクセスネットワーク（evolved universal terrestrial radio access network、E−UTRAN）、サービングGPRSサポートノード（serving GPRS supporting node、SGSN）、加入者情報管理サーバ（home subscriber server、HSS）、またはポリシーおよび課金ルール機能（policy and charging rules function、PCRF）をさらに含んでもよい。
【００６６】
SGWは、主にUEのデータ送信、データ転送、経路切り替えなどの役割を果たし、かつUEが進化型NodeB（Evolved NodeB、eNodeB）間でハンドオーバされたときに、ローカル移動アンカーとして機能する（各時点で1つのSGWのみが各ユーザ機器で機能する）。
【００６７】
E−UTRANは、複数のeNodeBを含むネットワークであり、無線物理層機能、リソーススケジューリングおよび無線リソース管理、無線アクセス制御、ならびに移動管理機能などの機能を実施する。eNodeBはX2インターフェースを介して互いに接続されてもよく、X2に基づくハンドオーバ処理でデータを送信してもよい。eNodeBは、汎用パケット無線システムトンネリングプロトコルユーザプレーン（general packet radio system general tunneling protocol user plane、GTP−U）を使用してユーザデータを送信するために、ユーザプレーンインターフェースS1−Uを介してSGWに接続される。eNodeBは、S1−APプロトコルに従って無線アクセスベアラ制御などの機能を実施するために、制御プレーンインターフェースS1−MMEを介して移動管理エンティティに接続される。
【００６８】
SGSNは、GSM(登録商標)／EDGE無線アクセスネットワーク（GSM(登録商標)／EDGE radio access network、GERAN）などの2Gアクセスネットワーク、または汎用地上無線アクセスネットワーク（universal terrestrial radio access network、UTRAN）、および3GPP進化型パケットコア（Evolved Packet Core、EPC）などの3Gアクセスネットワークのアクセスノードである。SGSNは、GERAN、UTRAN、またはEPCに対するベアラを確立する役割を果たし、かつデータ転送の役割を果たす。
【００６９】
HSSは、主にモバイルユーザの加入情報データを記憶するように構成される。PCRFは、ポリシーおよび課金制御（policy and charging control、PCC）ルール、およびサービス品質（quality of service、QoS）ルールを含む、課金管理およびポリシー制御の役割を果たす。
【００７０】
SCEF（図示せず）は、3GPPネットワークインターフェースが提供するサービスおよび性能が確実に公開されるようにし、公開された性能およびサービスを検出する方法を提供する。MMEは、SCEFを介してHSSと相互作用することができる。
【００７１】
任意で、本願における実施形態の端末（terminal）は、携帯用機器、車載用機器、装着可能な機器、ならびに無線通信機能を有するコンピュータ機器または無線モデムに接続された他の処理用機器を含んでもよい。本端末機器は、ユーザ機器（user equipment、UE）、移動局（mobile station、MS）、または端末機器（terminal device）と呼ばれてもよく、加入者ユニット（subscriber unit）、携帯電話（cellular phone）、スマートフォン（smart phone）、無線データカード、携帯情報端末（personal digital assistant、PDA）コンピュータ、タブレットコンピュータ、無線モデム（modem）、携帯用（handheld）機器、ノートパソコン（laptop computer）、コードレス電話機（cordless phone）、無線加入者線（wireless local loop、WLL）局、マシンタイプ通信（machine type communication、MTC）端末、CIOT端末などを含んでもよい。
【００７２】
任意で、図1に示す制御機器またはデータ送信機器は、独立したネットワーク要素であってもよく、または複数のネットワーク要素によって共同で実施されてもよく、またはネットワーク要素内の機能モジュールとして使用されてもよい。これは、本願における実施形態で具体的に限定されるものではない。前述した機能は、ハードウェア機器のネットワーク要素であってもよく、あるいは専用のハードウェア上で実行するソフトウェア機能であってもよく、あるいはプラットフォーム（例えば、クラウドプラットフォーム）上でインスタンス化される仮想機能であってもよいことは理解されよう。
【００７３】
図4に示すように、図1の制御機器10、または図2のAMF、SMF、およびUE、または図3のMMEおよびUEは、図4のコンピュータ機器（またはシステム）によって実施されてもよい。
【００７４】
図4は、本願における実施形態による、コンピュータ機器の概略図である。コンピュータ機器400は、少なくとも1つのプロセッサ41と、通信線42と、メモリ43と、少なくとも1つの通信インターフェース44とを備える。
【００７５】
プロセッサ41は、汎用中央処理ユニット（CPU）、マイクロプロセッサ、特定用途向け集積回路（application−specific integrated circuit、ASIC）、または本願の解決策においてプログラムの実行を制御するように構成された1つ以上の集積回路であってもよい。
【００７６】
通信線42は、前述した構成要素間で情報を送信するチャネルを含んでもよい。通信インターフェース44は、送受信機型の任意の装置を介して、別の機器、あるいはイーサネット(登録商標)、無線アクセスネットワーク（RAN）、または無線ローカルエリアネットワーク（Wireless Local Area Network、WLAN）などの通信ネットワークと通信するように構成される。
【００７７】
メモリ43は、読み出し専用メモリ（read−only memory、ROM）または静的な情報および命令を記憶できる他の種類の静的記憶装置、あるいはランダムアクセスメモリ（random access memory、RAM）または情報および命令を記憶できる他の種類の動的記憶装置であってもよく、あるいは電気的に消去可能なプログラム可能読み出し専用メモリ（Electrically Erasable Programmable Read−Only Memory、EEPROM）、コンパクトディスク読み出し専用メモリ（Compact Disc Read−Only Memory、CD−ROM）その他の光学ディスク記憶装置、光学ディスク記憶装置（コンパクト光学ディスク、レーザーディスク(登録商標)、光学ディスク、デジタル汎用光学ディスク、ブルーレイディスクなどを含む）、あるいは磁気ディスク記憶媒体その他の磁気記憶装置、またはコンピュータがアクセスでき、予想されるプログラムコードを命令の形式で、あるいはデータ構造の形式で保持または記憶するように構成できる任意の他の媒体であってもよく、これらに限定されることはない。メモリは独立して存在してもよく、通信線を通じてプロセッサに接続される。メモリはプロセッサと一体化されてもよい。
【００７８】
メモリ43は、本願における解決策を実行するのに使用されるアプリケーションプログラムコードを記憶するように構成され、アプリケーションプログラムコードは、プロセッサ41の制御下で実行される。プロセッサ41は、メモリ43に記憶されたアプリケーションプログラムコードを実行するように構成される。
【００７９】
特定の実施において、実施形態では、プロセッサ41は、図4のCPU 0およびCPU 1などの、1つ以上のCPUを含んでもよい。
【００８０】
特定の実施において、実施形態では、コンピュータ機器400は、図4のプロセッサ41およびプロセッサ48などの複数のプロセッサを含んでもよい。各プロセッサは、シングルコア（single−CPU）プロセッサであってもよく、あるいはマルチコア（multi−CPU）プロセッサであってもよい。本明細書におけるプロセッサは、データ（例えば、コンピュータプログラム命令）を処理するように構成された1つ以上の機器、回路、および／または処理コアであってもよい。
【００８１】
特定の実施において、実施形態では、コンピュータ機器400は、出力機器45と入力機器46とをさらに備えてもよい。出力機器45はプロセッサ41と通信し、複数の方法で情報を表示してもよい。例えば、出力機器45は、液晶ディスプレイ（liquid crystal display、LCD）、発光ダイオード（light emitting diode、LED）表示機器、陰極線管（cathode ray tube、CRT）表示機器、またはプロジェクタ（Projector）であってもよい。入力機器46はプロセッサ41と通信し、複数の方法でユーザ入力を受信してもよい。例えば、入力機器46は、マウス、キーボード、タッチ画面機器、または感知機器であってもよい。
【００８２】
コンピュータ機器400は、汎用コンピュータ機器、または専用コンピュータ機器であってもよい。特定の実施では、コンピュータ機器400は、デスクトップコンピュータ、携帯用コンピュータ、ネットワークサーバ、携帯情報端末（Personal Digital Assistant、PDA）、携帯電話、タブレットコンピュータ、無線端末機器、通信機器、埋め込み機器、または図4の構造と同様の構造を有する装置であってもよい。コンピュータ機器400の種類は、本願における実施形態に限定されない。
【００８３】
例えば、図1の制御機器10は、図4に示す機器であってもよい。制御機器10のメモリは、1つ以上のソフトウェアモジュールを記憶する。制御機器10は、メモリ内のプログラムコードを使用してプロセッサによって実施されるソフトウェアモジュールを介して、レート制御を実施してもよい。
【００８４】
以下、フローチャートを参照しながら、本願における実施形態で提供されるレート制御方法について説明する。
【００８５】
図5は、図1または図2に示すシステムで実行されるレート制御方法の概略的なフローチャートである。図5は、主にServing PLMNレート制御方法について記載している。本実施形態は、接続がセッションであり、かつ接続確立要求がPDUセッション確立要求の例を使用して説明される。
【００８６】
S501において、UEはアクセスノードを介してAMFにPDUセッション確立要求を送信する。AMFは、PDUセッション確立要求を受信する。
【００８７】
具体的には、UEがネットワークにうまく登録した後に、UEは、上層（upper layers）からの上りおよび下りユーザデータを送信する要求に従って、新しいPDUセッションを確立する必要がある。UEはネットワーク側に対してPDUセッション確立手順を開始する。具体的には、UEはAMFに上りNAS移送（UL NAS transport）メッセージなどのNASメッセージを送信する。NASメッセージは、PDUセッション識別子、要求タイプ、N1セッション管理コンテナなどを含む。N1セッション管理コンテナは、PDUセッション確立要求を含む。
【００８８】
S503において、AMFはSMFを選択する。次に、AMFは選択したSMFに生成セッションコンテキスト要求を送信する。SMFは、生成セッションコンテキスト要求を受信する。生成セッションコンテキスト要求は、S501のPDUセッション確立要求を含む。
【００８９】
AMFによってSMFを選択する方法については、従来技術の方法を参照されたい。例えば、AMFは、DNN、またはUEによって提供される単一のネットワークスライス選択補助情報（Single Network Slice Selection Assistance Information、S−NSSAI）に基づいてSMFを選択してもよい。ここで詳細な説明はされない。
【００９０】
実際の実施では、制御機器はAMFまたはSMFであってもよい。ここではまず、説明のために制御機器をAMFとする例が使用されている。
【００９１】
AMFが下りNASデータPDUの送信レートの制御を期待しているときは、生成セッションコンテキスト要求はServing PLMNレート制御時間管理情報を含む。次に、PDUセッションがうまく確立された後に、ユーザプレーンネットワーク要素は、Serving PLMNレート制御時間管理情報に基づいて、PDUセッションを通じて送信されたデータに対して、レート制御を実行する。
【００９２】
特定の実施において、Serving PLMNレート制御時間管理情報は、特定の情報要素（Information Element、IE）を使用して転送されてもよい。本明細書における情報要素は、セルとも呼ばれる場合がある。
【００９３】
特定の実施では、実施として、Serving PLMNレート制御時間管理情報は、Serving PLMNレート制御を実行するのに使用される、Serving PLMNレート制御時間ユニットの開始時間表示情報を含む。開始時間表示情報は、Serving PLMNレート制御時間ユニットの開始時間を表示するのに使用される。
【００９４】
開始時間表示情報は、複数の形式を有する。例えば、開始時間表示情報は、（a）接続がうまく確立された時点、（b）第1のデータユニットが接続を通じて送信された時点、または（c）次の課金期間の開始時間であってもよい。これは、本願において具体的に限定されるものではない。（b）の事例では、接続を通じてデータを送信できるので、時点とは、接続がうまく確立された後の時点である。この実施形態では、本明細書における接続は、具体的にはPDUセッションである。
【００９５】
特定の実施では、実施として、データ送信機器がSMFまたはユーザプレーンネットワーク要素の場合は、時間管理情報はタイミング表示情報をさらに含んでもよい。タイミング表示情報は具体的には、第1に、レート制御時間ユニットの開始時間の後でタイミングが継続して実行される、あるいは第2に、レート制御時間ユニットが期限切れになった後で、次のレート制御時間ユニット内に第1のデータユニットが送信されたときにタイミングが開始する、という情報のうちのいずれか1つである。
【００９６】
特定の実施では、タイミング表示は、あるいは通信事業者のポリシーまたは構成に基づいて選択されてもよい。これは、本願において具体的に限定されるものではない。
【００９７】
特定の実施では、実施として、Serving PLMNレート制御時間管理情報は、Serving PLMNレート制御時間ユニットをさらに含んでもよい。時間ユニットは6分であってもよく、あるいは他の時間であってもよいことは言うまでもない。特定の実施では、時間ユニットは、あるいはAMFとユーザプレーンネットワーク要素との間で事前交渉されてもよい。この場合、生成セッションコンテキスト要求メッセージは、時間ユニットを保持していなくてもよい。
【００９８】
特定の実施では、実施として、Serving PLMNレート制御時間管理情報は、Serving PLMNレート制御値をさらに含んでもよい。Serving PLMNレート制御値は、Serving PLMNレート制御時間ユニット内にユーザプレーンネットワーク要素によって送信される、データユニットの最大数を表示するのに使用される。
【００９９】
S505において、SMFは、AMFに生成セッションコンテキスト応答を送信する。AMFは、生成セッションコンテキスト応答を受信する。
【０１００】
S507において、SMFは、ユーザプレーンネットワーク要素にセッション確立要求を送信し（ここでのユーザプレーンネットワーク要素は、UPFまたはNEFであってもよい）、セッション確立要求は、Serving PLMN時間管理情報を保持する。ユーザプレーンネットワーク要素は、セッション確立要求を受信する。次に、セッションがうまく確立された後に、ユーザプレーンネットワーク要素は、Serving PLMN時間管理情報に基づいて、PDUセッションを通じて送信されたデータに対して、レート制御を実行する。
【０１０１】
特定の実施において、S507を実行するときに、SMFは、例えば、要求が「初期化要求」のときは、UPFをさらに選択してもよい。UPFを選択する具体的な方法については、従来技術を参照されたい。ここで詳細な説明はされない。
【０１０２】
S509において、ユーザプレーンネットワーク要素は、SMFにセッション確立応答を送信する。SMFはセッション確立応答を受信する。
【０１０３】
S511において、SMFは、AMFにメッセージを送信するために、移動管理ネットワーク要素でN1N2メッセージ転送サービス動作を呼び出す。SMFは、N1N2メッセージ転送サービスを呼び出すことによって、UEに送信されるPDUセッション確立受容メッセージをAMFに送信する。PDUセッション確立受容メッセージは、ステップS503で受信したPDUセッション確立要求の応答メッセージとして使用される。
【０１０４】
S513において、AMFは、アクセスノードを介して、S511で受信したPDUセッション確立受容メッセージをUEに送信し、PDUセッション確立受容メッセージは、ステップS501のPDUセッション確立要求の応答メッセージとして使用され、UEは、PDUセッション確立受容メッセージを受信する。
【０１０５】
具体的には、AMFはUEに下りNAS移送（DL NAS transport）メッセージなどのNASメッセージを送信する。NASメッセージは、S511でSMFによって送信されたPDUセッション確立受容メッセージを含む。
【０１０６】
特定の実施では、実施として、AMFが上りNASデータPDUの送信レートの制御を期待しているときは、S503の時間管理情報は、ステップ513でさらに保持される。時間管理情報の詳細については、このステップでは説明されない。次に、PDUセッションがうまく確立された後に、UEは、時間管理情報に基づいて、PDUセッションを通じて送信されたデータに対して、レート制御を実行する。S513の後に、UEはPDUセッションがうまく確立されたことを認識し得る。
【０１０７】
AMFは、UEがデータを送信する頻度に基づいて、開始時間表示情報を選択してもよい。例えば、頻繁にデータを送信するUEの場合は、S503で説明した（a）、（b）、または（c）が開始時間表示情報として選択されてもよく、頻繁にはデータを送信しないUEの場合は、S503で説明した（b）または（c）が開始時間表示情報として選択されてもよい。
【０１０８】
AMFは、あるいはUEの状態に基づいて、開始時間表示情報を選択してもよい。例えば、静的なUEは通常は省エネルギー状態のUEである。静的なUEの場合は、S503で説明した（b）が開始時間表示として選択されてもよい。
【０１０９】
AMFは、あるいはUEの通信持続時間に基づいて、開始時間表示情報を選択してもよい。通信持続時間が長いUEの場合は、S503で説明した（b）が、開始時間表示として選択されてもよい。AMFは、あるいはUEが外部電源を有しているかどうかに基づいて、開始時間表示情報を選択してもよい。外部電源を有するUEの場合は、S503で説明した（a）または（b）が開始時間表示として選択されてもよい。特定の実施では、あるいは通信事業者のポリシーまたは構成に基づいて、適切な開始時間表示情報が選択されてもよいことは言うまでもない。これは、本願において具体的に限定されるものではない。
【０１１０】
特定の実施では、実施として、データ送信機器がUEの場合は、時間管理情報はタイミング表示情報をさらに含んでもよい。タイミング表示情報は、具体的には、（a1）UEが接続モードに入ったときに、Serving PLMNレート制御時間ユニットの残存値に基づいてタイミングが継続する、（b1）UEが接続モードに入ったときにServing PLMNレート制御時間ユニットに基づいてタイミングが再開する、あるいは（c1）Serving PLMNレート制御時間ユニットが期限切れになった後で、次のServing PLMNレート制御時間ユニット内に第1のデータユニットが送信されたときにタイミングが開始する、という情報のうちのいずれか1つである。
【０１１１】
AMFは、UEがデータを送信する頻度に基づいてタイミング表示情報を選択してもよい。例えば、頻繁にデータを送信するUEの場合は、（a1）がタイミング表示として選択されてもよく、頻繁にはデータを送信しないUEの場合は、（b1）または（c1）がタイミング表示として選択されてもよい。AMFは、あるいはUEの周期的な通信の時間間隔に基づいて、タイミング表示情報を選択してもよい。周期的な通信の時間間隔が比較的長い場合は、（b1）が選択される。特定の実施では、タイミング表示は、あるいは通信事業者のポリシーまたは構成に基づいて選択されてもよいことは言うまでもない。これは、本願において具体的に限定されるものではない。
【０１１２】
本実施形態において、AMFが上りNASデータPDUの送信レート、および下りNASデータPDUの送信レートの両方を制御することを図が示していることは理解されよう。しかしながら、特定の実施では、AMFによって上りNASデータPDUに対して実行されるレート制御は、AMFによって下りNASデータPDUに対して実行されるレート制御からは独立している。AMFは、上りNASデータPDUの送信レートのみを制御してもよい。この場合は、S503およびS507で時間管理情報が保持されなくてもよい。あるいは、AMFは下りNASデータPDUの送信レートのみを制御してもよい。この場合は、S513で時間管理情報が保持されなくてもよい。AMFが上りNASデータPDUに対するレート制御と、下りNASデータPDUに対するレート制御とを同時に実行すると、両方のレート制御の時間管理情報は同一もしくは相違していてもよい。本願において、これに限定されることはない。
【０１１３】
図5において、ユーザプレーンネットワーク要素またはUEは、説明のためにデータ送信機器として使用される。実際の実施では、SMFもまたデータ送信機器として使用されてもよい。SMFがデータ送信機器として使用される解決策において、図5と同様の方法が使用されてもよい。図5との相違は、S503において、SMFが時間管理情報を取得し、PDUセッションが確立された後に、時間管理情報に基づいて、PDUセッションを通じて送信されたデータに対してレート制御を実行することである。その後、ユーザプレーンネットワーク要素が、データ送信機器として使用されることを必要としない場合は、S507で時間管理情報が保持されなくてもよい。ユーザプレーンネットワーク要素がデータ送信機器として使用される必要がある場合は、S507は図5と同じであってもよい。
【０１１４】
本実施形態で提供される方法によれば、AMFは、Serving PLMNレート制御時間ユニットの開始時間表示情報を送信し、開始時間表示情報を受信した後で、ユーザプレーンネットワーク要素、SMF、またはUEは、レート制御タイミングを開始するのにAMFと同じ時点を決定することができる。このようにして、ユーザプレーンネットワーク要素、SMF、またはUEが、レート制御情報に基づいてAMFに適切な数のNASデータPDUを送信したときは、AMFはデータを有効なデータとみなし、データを破棄したり、データの処理が遅延したりすることはない。これにより、データ送信側パーティがレート制御情報に基づいて適切な数のNASデータPDUを送信したときに、それでもなおパケットが破棄されたり、処理が遅延したりする従来技術の問題が解決する。
【０１１５】
図5において、AMFは、説明のためにレート制御機器として使用されている。実際の実施では、SMFはAMFと置き換わってもよく、レート制御機器として使用される。SMFがレート制御機器として使用される解決策では、図5と同様の方法が使用されてもよい。図5との相違は、S503で時間管理情報が保持されないことである。S507において、SMFが下りデータ送信レートの制御を期待している場合は、S507において、セッション確立要求に時間管理情報が保持される。このように、時間管理情報を受信した後に、ユーザプレーンネットワーク要素は、PDUセッションが確立された後の時間管理情報に基づいて、PDUセッションを通じて送信された下りデータに対してレート制御を実行する。SMFが上りデータ送信レートの制御を期待している場合は、SMFは、S511においてAMFに、時間管理情報を保持しているPDUセッション確立受容メッセージを送信し、次に、AMFが、S513においてUEに、時間管理情報を保持しているPDUセッション確立受容メッセージを送信する。任意で、S511において、SMFはAMFに時間管理情報を直接送信してもよく、かつS513において、UEに時間管理情報を直接送信してもよい。言い換えれば、時間管理情報はPDUセッション確立受容メッセージ（図示せず）に保持されない。このように、時間管理情報を受信した後で、UEは、PDUセッションが確立された後の時間管理情報に基づいて、PDUセッションを通じて送信された上りデータに対してレート制御を実行する。
【０１１６】
本実施形態で提供される方法によれば、SMFは、Serving PLMNレート制御時間ユニットの開始時間表示情報を送信し、開始時間表示情報を受信した後に、ユーザプレーンネットワーク要素、またはUEは、レート制御タイミングを開始するのにSMFと同じ時点を決定することができる。このようにして、ユーザプレーンネットワーク要素、またはUEが、時間管理情報に基づいてSMFに適切な量のデータを送信したときは、SMFはデータを有効なデータとみなし、データを破棄したり、データの処理が遅延したりすることはない。これにより、データ送信側パーティがレート制御情報に基づいて適切な数のNASデータPDUを送信したときに、それでもなおパケットが破棄されたり、処理が遅延したりする従来技術の問題が解決する。
【０１１７】
図5に示す本実施形態において、AMF、SMF、ユーザプレーンネットワーク要素、または端末の動作は、メモリ内の前述したソフトウェアモジュールに基づいて、AMF、SMF、ユーザプレーンネットワーク要素、または端末によってそれぞれ実行されてもよい。これは、本願における実施形態で限定されるものではない。
【０１１８】
図6は、図1または図2に示すシステムで実行されるレート制御方法の概略的なフローチャートである。図6は、主にDNNレート制御方法について記載している。本実施形態は、接続がセッションであり、かつ接続確立要求がPDUセッション確立要求の例を使用して説明される。
【０１１９】
S601について、S601はS501と同じである。
【０１２０】
S603において、S603とS503の主な違いは、生成セッションコンテキスト要求がDNNレート制御時間管理情報を保持していないことである。
【０１２１】
S605について、S605はS505と同じである。
【０１２２】
S607において、S607とS507の主な違いは、セッション確立要求がDNNレート制御時間管理情報を保持していないことである。
【０１２３】
S609において、ユーザプレーンネットワーク要素は、SMFにセッション確立応答を送信する。SMFはセッション確立応答を受信する。
【０１２４】
ユーザプレーンネットワーク要素が、DNN上りデータ送信レートの制御を期待している場合は、DNN上りデータはUEによって送信され、かつPDUセッションに関連付けられ、セッション確立応答メッセージはDNNレート制御時間管理情報を含む。次に、PDUセッションがうまく確立された後で、端末はDNNレート制御時間管理情報に基づいて、PDUセッションを通じて送信されたデータに対して、レート制御を実行する。
【０１２５】
特定の実施では、DNNレート制御時間管理情報は、プロトコル構成オプション（Protocol Configuration Option、PCO）、または拡張プロトコル構成オプション（extended Protocol Configuration Option、ePCO）を使用して送信されてもよい。
【０１２６】
特定の実施では、実施として、DNNレート制御時間管理情報は、DNNレート制御時間ユニットの開始時間表示情報を含む。開始時間表示情報は、DNNレート制御時間ユニットの開始時間を表示するのに使用される。
【０１２７】
開始時間表示情報は、複数の形式を有する。特定の実施において、S503の（a）、（b）、および（c）の3つの形式が使用されてもよい。これは、本願において具体的に限定されるものではない。
【０１２８】
ユーザプレーンネットワーク要素は、AMFが開始時間表示情報を選択するS513の方法を使用して、開始時間表示情報を選択してもよい。例えば、開始時間表示情報は、UEがデータを送信する頻度、UEの状態、またはUEの通信持続時間に基づいて選択される。ここで再度詳しい説明はされない。
【０１２９】
特定の実施では、実施として、DNNレート制御時間管理情報は、タイミング表示をさらに含んでもよい。タイミング表示は、具体的には、（a1）UEが接続モードに入ったときに、DNNレート制御時間ユニットの残存値に基づいてタイミングが継続する、（b1）UEが接続モードに入ったときに、DNNレート制御時間ユニットに基づいてタイミングが再開する、あるいは（c1）DNNレート制御時間ユニットが期限切れになった後で、第1のデータユニットが次のDNNレート制御時間ユニットで送信されたときにタイミングが開始する、という情報のうちのいずれか1つである。
【０１３０】
ユーザプレーンネットワーク要素は、AMFがタイミング表示情報を選択するS513の方法を使用して、タイミング表示情報を選択してもよい。例えば、タイミング表示情報は、UEがデータを送信する頻度、またはUEの周期的な通信の時間間隔に基づいて選択される。ここで再度詳しい説明はされない。
【０１３１】
特定の実施では、実施として、DNNレート制御時間管理情報は、DNNレート制御時間ユニットをさらに含んでもよい。本明細書における時間ユニットは、具体的に限定されない。特定の実施では、時間ユニットは、あるいはユーザプレーンネットワーク要素と端末との間で事前交渉されてもよい。この場合、セッション確立応答は、時間ユニットを保持していなくてもよい。
【０１３２】
特定の実施では、実施として、DNNレート制御時間管理情報は、DNNレート制御値をさらに含んでもよい。DNNレート制御値は、DNNレート制御時間ユニット内に端末によって送信される、データユニットの最大数を表示するのに使用される。
【０１３３】
S611において、SMFは、AMFにメッセージを送信するために、移動管理ネットワーク要素でN1N2メッセージ転送サービス動作を呼び出す。SMFは、N1N2メッセージ転送サービスを呼び出すことによって、UEに送信されるPDUセッション確立受容メッセージをAMFに送信する。PDUセッション確立受容メッセージは、ステップS603で受信したPDUセッション確立要求の応答メッセージとして使用される。S609において、SMFは、PDUセッション確立受容メッセージに時間管理情報を追加する。任意で、SMFはS609において、N1N2メッセージ転送に時間管理情報を追加してもよい。言い換えれば、SMFは、PDUセッション確立受容メッセージ（この図には図示せず）に時間管理情報を追加しない。
【０１３４】
S613において、AMFは、アクセスノードを介してUEにPDUセッション確立受容メッセージを送信し、PDUセッション確立受容メッセージは、ステップS501において、PDUセッション確立要求の応答メッセージとして使用され、UEはPDUセッション確立受容メッセージを受信する。
【０１３５】
具体的には、AMFはUEに下りNAS移送（DL NAS transport）メッセージなどのNASメッセージを送信する。NASメッセージは、S611でSMFによって送信されたPDUセッション確立受容メッセージを含む。SMFが、S609においてPDUセッション確立受容メッセージに時間管理情報を追加する場合は、UEはPDUセッション確立受容メッセージ内に保持されている時間管理情報を受信する。SMFが、S609において、N1N2メッセージを使用してAMFに時間管理情報を送信する場合は、UEはNASメッセージ内に保持されている時間管理情報を受信する。
【０１３６】
本実施形態で提供される方法によれば、ユーザプレーンネットワーク要素は、DNNレート制御時間ユニットの開始時間表示情報を送信し、かつ開始時間表示情報を受信した後で、UEは、レート制御タイミングを開始するのにユーザプレーンネットワーク要素と同じ時点を決定することができる。このようにして、UEが時間管理情報に基づいて、ユーザプレーンネットワーク要素に適切な量のデータを送信すると、ユーザプレーンネットワーク要素はデータを有効なデータとみなし、データを破棄したりデータの処理を遅延させたりすることはない。これにより、データ送信側パーティがレート制御情報に基づいて適切な量のデータを送信したときに、それでもなおパケットが破棄されたり、処理が遅延したりする従来技術の問題が解決する。
【０１３７】
図6に示す本実施形態において、ユーザプレーンネットワーク要素、または端末の動作は、メモリ内の前述したソフトウェアモジュールに基づいて、ユーザプレーンネットワーク要素、または端末によってそれぞれ実行されてもよい。これは、本願における実施形態で限定されるものではない。
【０１３８】
図7は、図1または図3に示すシステムで実行されるレート制御方法の概略的なフローチャートである。図7は、主にServing PLMNレート制御方法について記載している。
【０１３９】
S701において、UEはアクセスノードを介してMMEにアタッチ要求を送信する。MMEは、アタッチ要求を受信する。
【０１４０】
S703において、MMEは、ユーザプレーンネットワーク要素に接続確立要求を送信する。ユーザプレーンネットワーク要素は、接続確立要求を受信する。
【０１４１】
MMEが、下りNASデータPDUの送信レートの制御を期待している場合は、接続確立要求メッセージはServing PLMNレート制御時間管理情報を含む。次に、接続がうまく確立された後に、ユーザプレーンネットワーク要素は、Serving PLMNレート制御時間管理情報に基づいて、接続を通じて送信されたデータに対して、レート制御を実行する。
【０１４２】
特定の実施では、Serving PLMNレート制御時間管理情報は、特定のIEを使用して転送されてもよい。
【０１４３】
特定の実施では、実施として、Serving PLMNレート制御時間管理情報は、Serving PLMNレート制御時間ユニットの開始時間表示情報を含む。開始時間表示情報の形式については、S503の関連説明を参照されたい。ここで再度詳細な説明はされない。
【０１４４】
特定の実施では、実施として、Serving PLMNレート制御時間管理情報は、Serving PLMNレート制御時間ユニットをさらに含んでもよい。時間ユニットについては、S503の関連説明を参照されたい。ここで再度詳細な説明はされない。
【０１４５】
特定の実施では、実施として、Serving PLMNレート制御時間管理情報は、Serving PLMNレート制御値をさらに含んでもよい。レート制御値については、S503の関連説明を参照されたい。ここで再度詳細な説明はされない。
【０１４６】
S705において、ユーザプレーンネットワーク要素は、MMEに接続確立応答メッセージを送信する。接続確立応答メッセージは、SGWを介してMMEに送信されてもよい。
【０１４７】
S707において、MMEは、UEにアタッチ受容メッセージを送信する。UEは、アタッチ受容メッセージを受信する。
【０１４８】
特定の実施では、実施として、MMEが上りNASデータPDUの送信レートの制御を期待している場合は、S703において、アタッチ受容メッセージがServing PLMNレート制御時間管理情報をさらに保持してもよい。Serving PLMNレート制御時間管理情報の詳細については、このステップでは説明されない。次に、接続がうまく確立された後に、端末は、Serving PLMNレート制御時間管理情報に基づいて、接続を通じて送信されたデータに対して、レート制御を実行する。
【０１４９】
MMEは、AMFが開始時間表示情報を選択するS513の方法を使用して、開始時間表示情報を選択してもよい。ここで再度詳細な説明はされない。
【０１５０】
特定の実施では、実施として、データ送信機器がUEの場合は、Serving PLMNレート制御時間管理情報はタイミング表示をさらに含んでもよい。タイミング表示は、具体的には、（a1）UEが接続モードに入ったときに、Serving PLMNレート制御時間ユニットの残存値に基づいてタイミングが継続する、（b1）UEが接続モードに入ったときにServing PLMNレート制御時間ユニットに基づいてタイミングが再開する、あるいは（c1）Serving PLMNレート制御時間ユニットが期限切れになった後で、次のServing PLMNレート制御時間ユニット内に第1のデータユニットが送信されたときにタイミングが開始する、という情報のうちのいずれか1つである。
【０１５１】
MMEは、AMFがタイミング表示を選択するS513の方法を使用して、タイミング表示を選択してもよい。ここで再度詳細な説明はされない。
【０１５２】
S709において、MMEは、アクセス層セキュリティコンテキストなどの情報を要求するために、UEに初期コンテキスト設定メッセージを送信する。UEは、初期コンテキスト設定メッセージを受信する。初期コンテキスト設定メッセージは、無線リソース制御接続を再構成するよう要求するために使用されてもよい。
【０１５３】
S711において、初期コンテキストが設定された後に、端末はMMEにアタッチ完了メッセージを送信し、MMEはアタッチ完了メッセージを受信する。
【０１５４】
本実施形態において、MMEが上りNASデータPDUの送信レート、および下りNASデータPDUの送信レートの両方を制御することを図が示していることは理解されよう。しかしながら、特定の実施では、MMEによって上りNASデータPDUに対して実行されるレート制御は、MMEによって下りNASデータPDUに対して実行されるレート制御からは独立している。MMEは、上りNASデータPDUの送信レートのみを制御してもよい。この場合は、S703でServing PLMNレート制御時間管理情報が保持されなくてもよい。あるいは、MMEは下りNASデータPDUの送信レートのみを制御してもよい。この場合は、S707でServing PLMNレート制御時間管理情報が保持されなくてもよい。MMEが上りNASデータPDUおよびに対するレート制御と、下りNASデータPDUに対するレート制御とを同時に実行すると、両方のレート制御の時間管理情報は同一もしくは相違していてもよい。本願において、これに限定されることはない。
【０１５５】
本実施形態で提供される方法によれば、MMEは、Serving PLMNレート時間ユニットの開始時間表示情報を送信し、開始時間表示情報を受信した後に、ユーザプレーンネットワーク要素、またはUEは、レート制御タイミングを開始するのにMMEと同じ時点を決定することができる。このようにして、ユーザプレーンネットワーク要素、またはUEが、レート制御情報に基づいてMMEに適切な数のNASデータPDUを送信するときは、MMEはデータを有効なデータとみなし、データを破棄したり、データの処理が遅延したりすることはない。これにより、データ送信側パーティがレート制御情報に基づいて適切な数のNASデータPDUを送信したときに、それでもなおパケットが破棄されたり、処理が遅延したりする従来技術の問題が解決する。
【０１５６】
実際の実施では、実施として、図7に示す実施形態はPDN接続が確立されるシナリオに適用されてもよい。ある実行手順と図7に示す実行手順との主な違いは、ステップS701で端末はアタッチ要求ではなくPDN接続確立要求を送信し、S709でベアラ確立メッセージが送信され、S711で接続完了メッセージが送信されることである。他のステップは、図7に示されているものと同様である。ここで再度詳細な説明はされない。
【０１５７】
図7に示す本実施形態では、MME、ユーザプレーンネットワーク要素、または端末の動作は、メモリ内の前述したソフトウェアモジュールに基づいて、MME、ユーザプレーンネットワーク要素、または端末によってそれぞれ実行されてもよい。これは、本願における実施形態で限定されるものではない。
【０１５８】
図8は、図1または図2に示すシステムで実行されるレート制御方法の概略的なフローチャートである。図8は、主にAPNレート制御方法について記載している。
【０１５９】
S801について、S801はS701と同じである。
【０１６０】
S803において、S803とS703の主な違いは、接続確立要求メッセージがレート制御時間管理情報を保持していないことである。
【０１６１】
S805において、ユーザプレーンネットワーク要素は、MMEに接続確立応答メッセージを送信する。接続確立応答メッセージは、SGWを介してMMEに送信されてもよい。
【０１６２】
ユーザプレーンネットワーク要素が、上りNASデータPDUの送信レートの制御を期待している場合は、接続確立要求メッセージはAPNレート制御時間管理情報を含む。次に、接続がうまく確立された後で、端末はAPNレート制御時間管理情報に基づいて、接続を通じて送信されたデータに対して、レート制御を実行する。
【０１６３】
特定の実施において、APNレート制御時間管理情報は、PCO／ePCOを使用して転送されてもよい。
【０１６４】
特定の実施では、実施として、APNレート制御時間管理情報は、APNレート制御時間ユニットの開始時間表示情報を含み、開始時間表示情報は、APNレート制御に使用される、APNレート制御時間ユニットの開始時間を表示するのに使用される。
【０１６５】
開始時間表示情報は、複数の形式を有する。特定の実施において、S703の（a）、（b）、および（c）の3つの形式が使用されてもよい。これは、本願において具体的に限定されるものではない。
【０１６６】
ユーザプレーンネットワーク要素は、AMFが開始時間表示情報を選択するS513の方法を使用して、開始時間表示情報を選択してもよい。例えば、開始時間表示情報は、UEがデータを送信する頻度、UEの状態、またはUEの通信持続時間に基づいて選択される。ここで再度詳しい説明はされない。
【０１６７】
特定の実施では、実施として、APNレート制御時間管理情報は、Serving APNレート制御時間ユニットをさらに含んでもよい。時間ユニットの具体的な値は、本願において限定されない。特定の実施では、時間ユニットは、あるいはユーザプレーンネットワーク要素と端末との間で事前交渉されてもよい。この場合、接続確立要求応答は、時間ユニットを保持していなくてもよい。
【０１６８】
特定の実施では、実施として、APNレート制御時間管理情報は、APNレート制御値をさらに含んでもよい。APNレート制御値は、APNレート制御時間ユニット内に端末によって送信される、データユニットの最大数を表示するのに使用される。
【０１６９】
特定の実施では、実施として、APNレート制御時間管理情報は、タイミング表示情報をさらに含んでもよい。タイミング表示情報は、具体的には、（a1）UEが接続モードに入ったときに、APNレート制御時間ユニットの残存値に基づいてタイミングが継続する、（b1）UEが接続モードに入ったときにAPNレート制御時間ユニットに基づいてタイミングが再開する、あるいは（c1）APNレート制御時間ユニットが期限切れになった後で、次のAPNレート制御時間ユニット内にデータを保持する第1のNASデータパケットデータユニットが送信されたときにタイミングが再開する、という情報のうちのいずれか1つである。
【０１７０】
ユーザプレーンネットワーク要素は、AMFがタイミング表示情報を選択するS513の方法を使用して、タイミング表示情報を選択してもよい。例えば、タイミング表示情報は、UEがデータを送信する頻度、またはUEの周期的な通信の時間間隔に基づいて選択される。ここで再度詳しい説明はされない。
【０１７１】
S807において、MMEは、UEにアタッチ受容メッセージを送信する。UEは、アタッチ受容メッセージを受信する。S805において、アタッチ受容メッセージはAPNレート制御時間管理情報を保持する。
【０１７２】
S809〜S811について、S809〜S811はS709〜S711と同じであり、ここで再度詳細な説明はされない。
【０１７３】
本実施形態で提供される方法によれば、ユーザプレーンネットワーク要素は、APNレート時間ユニットの開始時間表示情報を送信し、かつ開始時間表示情報を受信した後で、UEは、レート制御タイミングを開始するのにユーザプレーンネットワーク要素と同じ時点を決定することができる。このようにして、UEがレート制御情報に基づいて、ユーザプレーンネットワーク要素に適切な数のNASデータPDUを送信すると、ユーザプレーンネットワーク要素はデータを有効なデータとみなし、データを破棄したりデータの処理を遅延させたりすることはない。これにより、データ送信側パーティがレート制御情報に基づいて適切な数のデータPDUを送信したときに、それでもなおパケットが破棄されたり、処理が遅延したりする従来技術の問題が解決する。
【０１７４】
実際の実施では、実施として、図8に示す実施形態はPDN接続が確立されるシナリオに適用されてもよい。ある実行手順と図8に示す実行手順との主な違いは、ステップS801で端末はアタッチ要求ではなくPDN接続確立要求を送信し、S809でベアラ確立メッセージが送信され、S811で接続完了メッセージが送信されることである。他のステップは、図8に示されているものと同様である。ここで再度詳細な説明はされない。
【０１７５】
図8に示す本実施形態において、ユーザプレーンネットワーク要素、または端末の動作は、メモリ内の前述したソフトウェアモジュールに基づいて、ユーザプレーンネットワーク要素、または端末によってそれぞれ実行されてもよい。これは、本願における実施形態で限定されるものではない。
【０１７６】
図9は、図2に示すシステムで実行されるレート制御方法の概略的なフローチャートである。図9は、主にServing PLMNレート制御方法について記載している。
【０１７７】
移動体発信（Mobile Originated、MO）のデータ送信プロセスでは、レート管理機器は、データ送信機器にServingレート制御状況を送信する。Servingレート制御状況に関する情報を受信した後に、データ送信機器は、Servingレート制御状況に関する情報に基づいてデータ送信レートを調節する。図9では、例えば、レート管理機器は、移動管理ネットワーク要素（5GにおけるAMFに相当する）であり、データ送信機器はUEである。
【０１７８】
S900において、MOデータが開始される前は、UEはアイドルモードになっている。
【０１７９】
S901において、UEはアクセスノードに、無線リソース制御（Radio Resource Control、RRC）接続要求メッセージ、またはRRC初期データ要求メッセージを送信する。
【０１８０】
任意で、送信されるNAS PDUは、接続識別子またはセッション識別子、ならびに暗号化された上りデータをさらに含む。
【０１８１】
S903において、IoTのシナリオでは、構成に基づき、ユーザ機器コンテキストが以前に照会されていない場合は、アクセスノードは、移動管理ネットワーク要素にUEコンテキストを照会してもよい。アクセスノードは、アプリケーション層メッセージを使用して、UEから移動管理ネットワーク要素へNAS PDUを転送する。
【０１８２】
ステップ901でRRC初期データ要求メッセージが送信された場合は、アクセスノードは、アプリケーションメッセージ内に「初期データ送信（Early Data Transmission、EDT）セッション」識別子を含んでいる。
【０１８３】
任意で、NAS PDUを受信した後に、移動管理ネットワーク要素は、NAS PDUでデータ復号および整合性チェックを実行する。
【０１８４】
S905について、このステップは任意である。移動管理ネットワーク要素が「EDTセッション」識別子を受信した場合、移動管理ネットワーク要素は、アクセスノードにアプリケーションメッセージを送信する。
【０１８５】
以前の接続またはセッション確立手順でレート制御が開始されている場合は、移動管理ネットワーク要素は、受信した上りデータの状況、およびタイミング状況に基づいて、アプリケーションメッセージにServing PLMNレート制御状況を追加してもよい。Serving PLMNレート制御状況を受信した後に、UEは、Serving PLMNレート制御状況に基づいて上りデータの送信レートを調節する。
【０１８６】
Serving PLMNレート制御状況は、情報の2つの部分を含む。第1の部分は、現在のServing PLMNレート制御状況期間の残りの有効期間である。第2の部分は、現在のレート制御期間内にまだ送信できる上りデータの量である。上りデータの量は、上りデータパケットなどの数であってもよい。
【０１８７】
任意で、S905の後に、移動管理ネットワーク要素とセッション管理ネットワーク要素（図示せず）との間のユーザプレーン接続が起動されていない場合は、移動管理ネットワーク要素、セッション管理ネットワーク要素、およびユーザプレーンネットワーク要素は、接続またはセッション変更手順を実行する。
【０１８８】
S905におけるNASメッセージは、アプリケーションメッセージ内に含まれる。Serving PLMNレート制御状況がある場合は、Serving PLMNレート制御状況はNASメッセージに含まれていてもよい。本明細書におけるNASメッセージは、NASロードとも呼ばれる場合がある。
【０１８９】
S907において、移動管理ネットワーク要素は、ユーザプレーンネットワーク要素に上りデータを転送する。
【０１９０】
上りデータは、セッション管理ネットワーク要素によって転送されてもよい。
【０１９１】
S909において、下りデータがある場合は、ユーザプレーンネットワーク要素は、移動管理ネットワーク要素にデータを転送する。
【０１９２】
下りデータは、セッション管理ネットワーク要素内でバッファリングされてもよい。この場合、データは、セッション管理ネットワーク要素から移動管理ネットワーク要素へ転送される。
【０１９３】
任意で、下りデータを受信した後に、移動管理ネットワーク要素は、整合性保護およびデータ暗号化を実行する。
【０１９４】
S911において、移動管理ネットワーク要素は、アプリケーションメッセージを使用してアクセスノードに下りデータを転送し、移動管理ネットワーク要素は、アプリケーションメッセージ内の接続確立表示メッセージを送信してもよい。
【０１９５】
以前の接続またはセッション確立手順でレート制御が開始されている場合は、移動管理ネットワーク要素は、受信した上りデータの状況、およびタイミング状況に基づいて、アプリケーションメッセージにServing PLMNレート制御状況を追加してもよい。Serving PLMNレート制御状況を受信した後に、UEは、Serving PLMNレート制御状況に基づいて上りデータの送信レートを調節する。
【０１９６】
Serving PLMNレート制御状況は、情報の2つの部分を含む。詳しくは、S905を参照されたい。
【０１９７】
移動管理ネットワーク要素が以前に解放補助情報を受信していて、移動体着信（Mobile Terminated、MT）データがさらに送信されることを期待していない場合は、移動管理ネットワーク要素は、アクセスノードにUEコンテキスト解放コマンドを送信する。
【０１９８】
S913において、アクセスノードは、RRC下りメッセージを使用して、UEに下りデータを転送する。
【０１９９】
S911において、UEコンテキスト解放コマンドが受信された場合は、その後、ステップS917は実行されない。S901で初期データ送信が使用される場合は、アクセスノードはUEにRRC初期データ完了メッセージを送信し、メッセージはS905〜S911のNASロードを含む。
【０２００】
S915において、移動管理ネットワーク要素がNAS到着フィードバックを必要とする場合は、アクセスノードは移動管理ネットワーク要素にNAS到着通知を送信する。
【０２０１】
S917において、一定の期間の後に、NAS PDUアクティビティが存在するかどうかを検出する。このステップは任意である。
【０２０２】
S919において、UEと移動管理ネットワーク要素との間の接続解放手順を実行する。このステップの後に、UEは再度アイドルモードに入る。
【０２０３】
S921において、現在のServing PLMNレート制御状況、すなわちServing PLMNレート制御期間の残りの有効期間、およびServing PLMNレート制御期間内にまだ送信できる上りデータの量などの情報を記憶する。
【０２０４】
図9に示す方法は、4Gシステムに適用されてもよい。本方法が4Gシステムに適用される場合、移動管理ネットワーク要素はMMEである。
【０２０５】
本実施形態で提供される方法によれば、MOデータ送信プロセスにおいて、レート制御機器は、データ送信機器にServing PLMNレート制御状況に関する情報を送信し、Serving PLMNレート制御状況に関する情報を受信した後で、データ送信機器はデータ送信レートを適切に調節する。このようにして、データ送信機器は、レートが制限を超えたときにレート制御機器がパケットを破棄する可能性を回避するように、適時にデータ送信レートを調節することができる。
【０２０６】
図10Aおよび図10Bは、図2に示すシステムで実行されるレート方法の概略的なフローチャートである。図10Aおよび図10Bは、主にServing PLMNレート制御方法について記載している。
【０２０７】
移動体着信（Mobile Terminated、MT）のデータ送信プロセスでは、レート管理機器は、データ送信機器にServingレート制御状況を送信する。Servingレート制御状況に関する情報を受信した後に、データ送信機器は、Servingレート制御状況に関する情報に基づいてデータ送信レートを調節する。図10Aおよび図10Bでは、例えば、レート管理機器は移動管理ネットワーク要素であり、データ送信機器はユーザプレーンネットワーク要素である。
【０２０８】
S1000において、MOデータが開始される前は、UEはアイドルモードになっている。
【０２０９】
S1001において、下りデータを受信した後で、ユーザプレーンネットワーク要素は、セッション管理ネットワーク要素に下りデータを送信する。
【０２１０】
任意で、セッション管理ネットワーク要素は、下りデータをバッファリングする。
【０２１１】
S1003において、下りデータを受信した後に、セッション管理ネットワーク要素は、移動管理ネットワーク要素に下りデータ到着通知を送信する。
【０２１２】
S1005において、下りデータ到着通知を受信した後に、移動管理ネットワーク要素は、UEの状況、構成などに基づいて、ユーザプレーンネットワーク要素に下りデータ到着通知確認メッセージを送信してもよい。
【０２１３】
下りデータ到着通知確認メッセージは、データをバッファリングするためにセッション管理ネットワーク要素によって必要とされる時間長などの情報を含んでもよい。また、移動管理ネットワーク要素は、受信した下りデータの状況、およびレート制御タイミング状況に基づいて、確認メッセージにServing PLMNレート制御状況を追加してもよい。
【０２１４】
Serving PLMNレート制御状況は、情報の2つの部分を含む。第1の部分は、現在のServing PLMNレート制御状況期間の残りの有効期間である。第2の部分は、現在のレート制御期間内にまだ送信できる下りデータの量である。上りデータの量は、上りデータパケットなどの数であってもよい。Serving PLMNレート制御状況を受信した後に、ユーザプレーンネットワーク要素は、Serving PLMNレート制御状況に基づいて下りデータの送信レートを調節する。
【０２１５】
S1007において、UEに到達可能と判定したときは、移動管理ネットワーク要素は、アクセスノードにページング情報を送信する。アクセスノードは、移動管理ネットワーク要素によって提供された情報に基づいてUEをページングし、RRC接続を確立する。
【０２１６】
任意で、移動管理ネットワーク要素とセッション管理ネットワーク要素との間のユーザプレーン接続が起動されていない場合は、移動管理ネットワーク要素、セッション管理ネットワーク要素、およびユーザプレーンネットワーク要素は、接続またはセッション変更手順を実行する。
【０２１７】
S1009において、セッション管理ネットワーク要素は、バッファリングされた下りデータを移動管理ネットワーク要素に送信する。
【０２１８】
任意で、下りデータを受信した後に、移動管理ネットワーク要素は、整合性保護およびデータ暗号化を実行する。
【０２１９】
S1010において、移動管理ネットワーク要素は、アプリケーションメッセージを使用してアクセスノードに下りデータを転送する。
【０２２０】
S1011において、アクセスノードは、RRC下りメッセージを使用して、UEに下りデータを転送する。
【０２２１】
S1013において、RRC接続がまだ存在する場合は、UEはNAS信号を使用してデータを送信してもよい。NASデータPDUは、RRC上りメッセージを使用してアクセスノードに送信されてもよい。
【０２２２】
S1015において、上りデータを受信した後に、アクセスノードは、アプリケーションメッセージを使用して移動管理ネットワーク要素に上りデータを転送する。
【０２２３】
任意で、NAS PDUを受信した後に、移動管理ネットワーク要素は、NAS PDUでデータ復号および整合性チェックを実行する。
【０２２４】
S1017において、移動管理ネットワーク要素は、セッション管理ネットワーク要素を介してユーザプレーンネットワーク要素に下りデータを転送する。
【０２２５】
S1019において、一定の期間の後に、アクセスノードはNAS PDUアクティビティが存在するかどうかを検出する。
【０２２６】
S1021において、UEと移動管理ネットワーク要素との間の接続解放手順を実行する。このステップの後に、UEは再度アイドルモードに入る。
【０２２７】
S1023において、現在のServing PLMNレート制御状況、すなわちServing PLMNレート制御期間の残りの有効期間、およびServing PLMNレート制御期間内にまだ送信できる上りデータの量などの情報を記憶する。
【０２２８】
図10Aおよび図10Bに示す方法は、4Gシステムに適用されてもよい。本方法が4Gシステムに適用される場合、移動管理ネットワーク要素はMMEである。
【０２２９】
本実施形態で提供される方法によれば、MTデータ送信プロセスにおいて、レート制御機器は、データ送信機器にServing PLMNレート制御状況に関する情報を送信し、Serving PLMNレート制御状況に関する情報を受信した後で、データ送信機器はデータ送信レートを適切に調節する。このようにして、データ送信機器は、レートが制限を超えたときにレート制御機器がパケットを破棄する可能性を回避するように、適時にデータ送信レートを調節することができる。
【０２３０】
前述では主に、ネットワーク要素間の相互作用の全体像から、本願における実施形態で提供される解決策について説明した。前述した機能を実施するために、レート制御を実施する制御機器（または装置）、あるいはデータ送信機器（または装置）は、各機能を実行するための対応するハードウェア構造、および／またはソフトウェアモジュールを備えていることが理解されよう。本明細書で開示される実施形態で説明されている例の、ユニットとアルゴリズムステップとの組み合わせにおいて、本願はハードウェア、またはハードウェアとコンピュータソフトウェアとの組み合わせによって実施されてもよいことが当業者には容易に理解されよう。ハードウェア、またはコンピュータソフトウェアによって駆動されるハードウェアで機能が実行されるかどうかは、技術的解決策の特定の用途、および設計上の制約に依存する。説明した機能をそれぞれの特定の用途用に実施するために、当業者は別の方法を使用してもよいが、当該の実施が本願の範囲を超えているとみなされるべきではない。
【０２３１】
本願における実施形態では、制御機器またはデータ送信機器は、前述した方法の例に基づいた機能モジュールに分割されてもよい。例えば、各機能モジュールは、それぞれの対応する機能に基づいた分割を通じて取得されてもよく、あるいは2つ以上の機能が1つの処理モジュールに統合されてもよい。統合されたモジュールは、ハードウェアの形態で実施されてもよく、あるいはソフトウェア機能モジュールの形態で実施されてもよい。本願における実施形態では、複数のモジュールに分割することは単なる例であって、かつ論理的な機能分割であり、実際の実施においては他の分割があり得ることに留意されたい。
【０２３２】
例えば、機能モジュールが統合によって取得されるとき、図11はレート制御装置110の概略的な構造図である。レート制御装置110は、移動管理ネットワーク要素、セッション管理ネットワーク要素、ユーザプレーンネットワーク要素、または端末であってもよく、あるいはこれらのネットワーク要素または端末のチップであってもよい。これは、本願における実施形態で具体的に限定されるものではない。レート制御装置110は、受信モジュール111と送信モジュール112とを含む。受信モジュール111は、端末から接続確立要求を受信するように構成され、接続確立要求は、データを送信するために端末の接続を確立するのに使用される。送信モジュール112は、データ送信機器にレート制御時間管理情報を送信するように構成され、時間管理情報は、接続を通じて送信されたデータに対してレート制御を実行するためにデータ送信機器によって使用され、時間管理情報は、レート制御に使用されるレート制御時間ユニットの開始時間表示情報を含み、開始時間表示情報は、レート制御時間ユニットの開始時間を表示するのに使用される。
【０２３３】
任意で、開始時間表示情報は具体的には、接続がうまく確立された時点、第1のデータユニットが接続を通じて送信された時点、または次の課金期間の開始時間のうちのいずれか1つの情報である。
【０２３４】
任意で、データ送信装置が端末、または端末内のチップの場合は、時間管理情報はタイミング表示情報をさらに含む。タイミング表示情報は具体的には、端末が接続モードに入ったときにレート制御時間ユニットの残存値に基づいてタイミングが継続する、端末が接続モードに入ったときにレート制御時間ユニットに基づいてタイミングが再開する、あるいはレート制御時間ユニットが期限切れになった後で、次のレート制御時間ユニット内に第1のデータユニットが送信されたときにタイミングが開始する、という情報のうちのいずれか1つである。
【０２３５】
任意で、データ送信装置がセッション管理ネットワーク要素またはユーザプレーンネットワーク要素の場合は、時間管理情報はタイミング表示情報をさらに含む。タイミング表示情報は具体的には、レート制御時間ユニットの開始時間の後にタイミングが継続して実行される、あるいはレート制御時間ユニットが期限切れになった後で、次のレート制御時間ユニット内に第1のデータユニットが送信されたときにタイミングが開始する、という情報のうちのいずれか1つである。
【０２３６】
前述した方法実施形態において、ステップのすべての関連する内容が、対応する機能モジュールの機能説明に引用されてもよい。ここで再度詳細な説明はされない。
【０２３７】
本実施形態では、装置110は、統合によって得られた機能モジュールの形態で提供される。本明細書における「モジュール」は、特定用途向け集積回路（application−specific integrated circuit、ASIC）、回路、1つ以上のソフトウェアまたはファームウェアプログラムを実行するプロセッサおよびメモリ、集積論理回路、ならびに／あるいは前述の機能を提供できる別の機器であってもよい。
【０２３８】
簡単な実施形態では、装置110が図4に示す形態であってもよいことが当業者にはわかるであろう。
【０２３９】
例えば、図4のプロセッサ41は、前述した方法実施形態で装置110がレート制御方法を実行できるように、メモリ43に記憶されたコンピュータ実行可能命令を呼び出してもよい。
【０２４０】
具体的には、図11の受信モジュール111および送信モジュール112の機能／実施プロセスは、メモリ43に記憶されたコンピュータ実行可能命令を呼び出すことによって、図4のプロセッサ41によって実施されてもよい。あるいは、図11の受信モジュール111および送信モジュール112の機能／実施プロセスは、図4の通信インターフェース44によって実施されてもよい。
【０２４１】
任意で、装置110がチップのときは、受信モジュール111および送信モジュール112の機能／実施プロセスは、あるいはピン、回路などによって実施されてもよい。任意で、装置110がチップのときは、メモリは、チップ内の記憶ユニット、例えば、レジスタまたはキャッシュであってもよい。装置110がチップのときは、あるいは記憶ユニットはチップの外部に位置する記憶ユニット、例えば、図4に示すメモリであってもよいことは言うまでもない。
【０２４２】
例えば、機能モジュールが統合によって取得されるとき、図12はデータ送信装置の概略的な構造図である。データ送信装置は、ユーザプレーンネットワーク要素、セッション管理ネットワーク要素、または端末であってもよく、あるいはユーザプレーンネットワーク要素、セッション管理ネットワーク要素、または端末のチップであってもよい。これは、本願における実施形態で具体的に限定されるものではない。データ送信装置110は、受信モジュール121と処理モジュール122とを含む。受信モジュール121は、レート制御時間管理情報を受信するように構成され、時間管理情報は、これを通じて端末がデータを送信する接続に対するレート制御に使用される、レート制御時間ユニットの開始時間表示情報を含み、開始時間表示情報は、レート制御時間ユニットの開始時間を表示するのに使用される。処理モジュール122は、レート時間管理情報に基づいて、接続を通じて送信されたデータに対してレート制御を実行するように構成される。
【０２４３】
任意で、開始時間表示情報は具体的には、図11の開始時間表示情報と同じであってもよい。ここで再度詳細な説明はされない。
【０２４４】
任意で、データ送信装置が端末、または端末内のチップの場合は、時間管理情報は、具体的には図11のタイミング表示情報を含んでもよい。ここで再度詳細な説明はされない。
【０２４５】
任意で、データ送信装置がセッション管理ネットワーク要素またはユーザプレーンネットワーク要素の場合は、時間管理情報は、具体的には図11のタイミング表示情報を含んでもよい。ここで再度詳細な説明はされない。
【０２４６】
本願における実施形態で提供される装置は、前述したレート制御方法を実行するように構成されてもよい。したがって、装置によって達成される技術的効果については、前述の方法実施形態を参照されたい。ここで詳細な説明はされない。
【０２４７】
任意で、本願の実施形態は、ある装置をさらに提供する（例えば、装置はチップシステムであってもよい）。本装置は、前述したレート制御方法を実施するために、制御装置またはデータ送信装置をサポートするように構成されたプロセッサを含む。可能な設計において、制御装置またはデータ送信装置はメモリをさらに含む。メモリは、制御装置またはデータ送信装置に必要なプログラム命令およびデータを記憶するように構成される。あるいはメモリは、装置内に配置されなくてもよいことは言うまでもない。装置がチップシステムのときは、装置はチップを含んでもよく、あるいはチップおよび他の個別素子を含んでもよい。これは、本願における実施形態で具体的に限定されるものではない。
【０２４８】
前述した実施形態のすべてまたは一部が、ソフトウェア、ハードウェア、ファームウェア、またはこれらの任意の組み合わせを使用して実施されてもよい。実施形態を実施するのにソフトウェアプログラムが使用されるときは、実施形態は、全体的または部分的にコンピュータプログラム製品の形態で実施されてもよい。コンピュータプログラム製品は、1つ以上のコンピュータ命令を含む。コンピュータプログラム命令がロードされ、コンピュータ上で実行されると、本願における実施形態による手順または機能が、全体的または部分的に生成される。コンピュータは、汎用コンピュータ、特定用途向けコンピュータ、コンピュータネットワーク、または他のプログラム可能な装置であってもよい。コンピュータ命令は、コンピュータ可読記憶媒体に記憶されてもよく、あるいはコンピュータ可読記憶媒体から別のコンピュータ可読記憶媒体に送信されてもよい。例えば、コンピュータ命令は、ウェブサイト、コンピュータ、サーバ、またはデータセンタから、別のウェブサイト、コンピュータ、サーバ、またはデータセンタに有線方式（例えば、同軸ケーブル、光ファイバ、またはデジタル加入者線（Digital Subscriber Line、DSL））、あるいは無線方式（例えば、赤外線、電波、またはマイクロ波）で送信されてもよい。コンピュータ可読記憶媒体は、コンピュータによってアクセス可能な任意の使用可能な媒体、あるいは1つ以上の使用可能な媒体を統合したサーバまたはデータセンタなどのデータ記憶装置であってもよい。使用可能な媒体は、磁気媒体（例えば、フロッピー(登録商標)ディスク、ハードディスク、または磁気テープ）、光学媒体（例えば、DVD）、半導体媒体（例えば、ソリッドステートドライブ（Solid State Disk、SSD））などであってもよい。
【０２４９】
本願は実施形態を参照しながら説明されているが、保護を請求する本願を実施するプロセスにおいて、当業者であれば、添付の図面、開示されている内容、および添付の特許請求の範囲を見て、開示されている実施形態の別の変形があることを理解しかつ実施し得るであろう。特許請求の範囲において、「備える、含む（comprising）」は、別の構成要素または別のステップを除外せず、「a」または「1つの（one）」は、複数の意味を除外しない。1つのプロセッサ、または他のユニットが、特許請求の範囲に列挙されているいくつかの機能を実施してもよい。いくつかの手段が互いに異なる従属クレームに記録されているが、よりよい効果を生むためにこれらの手段を組み合わせることができないという意味ではない。
【０２５０】
本願は、具体的な特徴およびその実施形態を参照しながら説明されているが、本願の精神および範囲を逸脱することなく、これらにさまざまな変更および組み合わせがなされてもよいことは明らかである。これに対応して、本明細書および添付の図面は、添付の特許請求の範囲で定義される本願を単に例示的に説明するものであって、本願の範囲をカバーする変更、変形、組み合わせ、または等価物のすべてまたはいずれかとみなされる。当業者であれば、本願の精神および範囲から逸脱することなく、本願にさまざまな変更および変形を加えられることは明らかである。本願は、本願の変更および変形が、以下の特許請求の範囲によって定義される保護の範囲内、およびこれらと等価の技術の範囲内にあるならば、このような本願の変更および変形をカバーすることを意図している。
【符号の説明】
【０２５１】
10  制御機器、データ送信システム
20  データ送信機器
41  プロセッサ
42  通信線
43  メモリ
44  通信インターフェース
45  出力機器
46  入力機器
48  プロセッサ
100  レート制御システム、システム、システムアーキテクチャ
110  レート制御装置
111  受信モジュール
112  送信モジュール
120  データ送信装置
121  受信モジュール
122  処理モジュール
400  コンピュータ機器
【図１】
2021528918.tif 000003
【図２】
2021528918.tif 000004
【図３】
2021528918.tif 000005
【図４】
2021528918.tif 000006
【図５】
2021528918.tif 000007
【図６】
2021528918.tif 000008
【図７】
2021528918.tif 000009
【図８】
2021528918.tif 000010
【図９】
2021528918.tif 000011
【図１０Ａ】
2021528918.tif 000012
【図１０Ｂ】
2021528918.tif 000013
【図１１】
2021528918.tif 000014
【図１２】
2021528918.tif 000015
【手続補正書】
【提出日】令和2年12月25日(2020.12.25)
【手続補正１】
【補正対象書類名】特許請求の範囲
【補正対象項目名】全文
【補正方法】変更
【補正の内容】
【特許請求の範囲】
【請求項１】
レート制御方法であって、
制御機器によって、端末から接続確立要求を受信するステップであって、前記接続確立要求は、データを送信するために前記端末の接続を確立するのに使用される、ステップと、
前記制御機器によって、データ送信機器にレート制御時間管理情報を送信するステップであって、前記時間管理情報は、前記接続を通じて送信された前記データに対してレート制御を実行するために、前記データ送信機器によって使用され、前記時間管理情報は、レート制御に使用されるレート制御時間ユニットの開始時間表示情報を含み、前記開始時間表示情報は、前記レート制御時間ユニットの開始時間を表示するのに使用される、ステップと
を含む、レート制御方法。
【請求項２】
前記開始時間表示情報が、
前記接続が正常に確立された時点、
第1のデータユニットが前記接続を通じて送信された時点、または
次の課金期間の開始時間、
のうちのいずれか1つの情報である、
請求項1に記載のレート制御方法。
【請求項３】
前記レート制御がサービング公共地上移動通信ネットワークレート制御の場合は、
前記制御機器は移動管理ネットワーク要素またはセッション管理ネットワーク要素であり、前記データ送信機器は前記端末であるか、または
前記制御機器は移動管理ネットワーク要素またはセッション管理ネットワーク要素であり、前記データ送信機器はユーザプレーンネットワーク要素である、あるいは前記制御機器は移動管理ネットワーク要素であり、前記データ送信機器はセッション管理ネットワーク要素である、
請求項1または2のいずれか一項に記載のレート制御方法。
【請求項４】
前記レート制御がデータネットワーク名レート制御の場合は、前記制御機器はユーザプレーンネットワーク要素であり、前記データ送信機器は前記端末であり、
前記レート制御がアクセスポイント名レート制御の場合は、前記制御機器はユーザプレーンネットワーク要素であり、前記データ送信機器は前記端末である、
請求項1または2のいずれか一項に記載のレート制御方法。
【請求項５】
前記データ送信機器が前記端末の場合は、前記時間管理情報がタイミング表示情報をさらに含み、前記タイミング表示情報が、
前記端末が接続モードに入ったときに、前記レート制御時間ユニットの残存値に基づいてタイミングが継続する、
前記端末が接続モードに入ったときに、前記レート制御時間ユニットに基づいてタイミングが再開する、あるいは
前記レート制御時間ユニットが期限切れになった後で、次のレート制御時間ユニット内に第1のデータユニットが送信されたときにタイミングが開始する、
という情報のうちのいずれか1つであり、
前記データ送信機器がセッション管理ネットワーク要素またはユーザプレーンネットワーク要素の場合は、前記時間管理情報がタイミング表示情報をさらに含み、前記タイミング表示情報が、
前記レート制御時間ユニットの前記開始時間の後で、タイミングが継続的に実行される、あるいは
前記レート制御時間ユニットが期限切れになった後で、次のレート制御時間ユニット内に前記第1のデータユニットが送信されたときにタイミングが開始する、
という情報のうちのいずれか1つである、
請求項1から4のいずれか一項に記載のレート制御方法。
【請求項６】
前記時間管理情報がレート制御値をさらに含み、前記レート制御値は、前記レート制御時間ユニット内に前記データ送信機器によって送信されたデータユニットの最大数を表示するのに使用される、
請求項1から5のいずれか一項に記載のレート制御方法。
【請求項７】
前記時間管理情報が、レート制御時間ユニット情報をさらに含む、
請求項1から6のいずれか一項に記載のレート制御方法。
【請求項８】
レート制御方法であって、
データ送信機器によって、レート制御時間管理情報を受信するステップであって、前記時間管理情報は、端末がデータを送信する接続に対するレート制御に使用される、レート制御時間ユニットの開始時間表示情報を含み、前記開始時間表示情報は、前記レート制御時間ユニットの開始時間を表示するのに使用される、ステップと、
前記レート制御時間管理情報に基づいて、前記データ送信機器によって、前記接続を通じて送信された前記データに対してレート制御を実行する、ステップと
を含む、レート制御方法。
【請求項９】
前記開始時間表示情報が、
前記接続が正常に確立された時点、
第1のデータユニットが前記接続を介して送信された時点、または
次の課金期間の開始時間、
のうちのいずれか1つの情報である、
請求項8に記載のレート制御方法。
【請求項１０】
前記データ送信機器が前記端末の場合は、前記時間管理情報がタイミング表示情報をさらに含み、前記タイミング表示情報が、
前記端末が接続モードに入ったときに、前記レート制御時間ユニットの残存値に基づいてタイミングが継続する、
前記端末が接続モードに入ったときに、前記レート制御時間ユニットに基づいてタイミングが再開する、あるいは
前記レート制御時間ユニットが期限切れになった後で、次のレート制御時間ユニット内に第1のデータユニットが送信されたときにタイミングが開始する、
という情報のうちのいずれか1つであり、
前記データ送信機器がセッション管理ネットワーク要素またはユーザプレーンネットワーク要素の場合は、前記時間管理情報がタイミング表示情報をさらに含み、前記タイミング表示情報が、
前記レート制御時間ユニットの前記開始時間の後で、タイミングが継続的に実行される、あるいは
前記レート制御時間ユニットが期限切れになった後で、次のレート制御時間ユニット内に前記第1のデータユニットが送信されたときにタイミングが開始する、
という情報のうちのいずれか1つである、
請求項8または9に記載のレート制御方法。
【請求項１１】
レート制御装置であって、
端末から接続確立要求を受信するように構成された受信モジュールであって、前記接続確立要求は、データを送信するために前記端末の接続を確立するのに使用される、受信モジュールと、
データ送信機器にレート制御時間管理情報を送信するように構成された送信モジュールであって、前記時間管理情報は、前記接続を通じて送信された前記データに対してレート制御を実行するために、前記データ送信機器によって使用され、前記時間管理情報は、レート制御に使用されるレート制御時間ユニットの開始時間表示情報を含み、前記開始時間表示情報は、前記レート制御時間ユニットの開始時間を表示するのに使用される、送信モジュールと
を備える、装置。
【請求項１２】
データ送信装置であって、
レート制御時間管理情報を受信するように構成された受信モジュールであって、前記時間管理情報は、端末がデータを送信する接続に対するレート制御に使用される、レート制御時間ユニットの開始時間表示情報を含み、前記開始時間表示情報は、前記レート制御時間ユニットの開始時間を表示するのに使用される、受信モジュールと、
前記レート制御時間管理情報に基づいて、前記接続を通じて送信された前記データに対してレート制御を実行するように構成された、処理モジュールと
を備える、装置。
【請求項１３】
前記開始時間表示情報が、
前記接続が正常に確立された時点、
第1のデータユニットが前記接続を通じて送信された時点、または
次の課金期間の開始時間、
のうちのいずれか1つの情報である、
請求項11または12に記載の装置。
【請求項１４】
前記時間管理情報がタイミング表示情報をさらに含み、前記タイミング表示情報が、
前記端末が接続モードに入ったときに、前記レート制御時間ユニットの残存値に基づいてタイミングが継続する、
前記端末が接続モードに入ったときに、前記レート制御時間ユニットに基づいてタイミングが再開する、あるいは
前記レート制御時間ユニットが期限切れになった後で、次のレート制御時間ユニット内に第1のデータユニットが送信されたときにタイミングが開始する、
という情報のうちのいずれか1つである、
請求項11から13のいずれか一項に記載の装置。
【請求項１５】
前記時間管理情報がタイミング表示情報をさらに含み、前記タイミング表示情報が、
前記レート制御時間ユニットの前記開始時間の後で、タイミングが継続的に実行される、あるいは
前記レート制御時間ユニットが期限切れになった後で、次のレート制御時間ユニット内に第1のデータユニットが送信されたときにタイミングが開始する、
という情報のうちのいずれか1つである、
請求項11から13のいずれか一項に記載の装置。
【国際調査報告】
2021528918.tif 000016
2021528918.tif 000017
2021528918.tif 000018
2021528918.tif 000019